(57)【要約】【課題】機能の入替や追加に際して動作の安定性の低下を抑えること。【解決手段】自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と、前記機能の入替によって追加される機能に関するリソースの指標の値と、自装置に新規に追加される機能に関するリソース指標の値と、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の追加を制限しない制限部を備える通信装置である。【選択図】図１
2018022246.tif 000002
【特許請求の範囲】
【請求項１】
サービス毎あるいは通信事業者毎に異なる機能等を、汎用化した入出力インタフェースを用いて実現されるソフトウェア部品であるアプリケーションと、
該アプリケーションに汎用化した該入出力インタフェースを提供すると共に標準化されている等の理由で，サービスや要求に応じた変更が不要な機能を提供するアクセスネットワーク装置の基盤的構成要素と、
自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と、前記機能の入替によって追加される機能に関するリソースの指標の値と、自装置に新規に追加される機能に関するリソース指標の値と、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の追加を制限しない制限部と、
を備える通信装置。
【請求項２】
前記制限部は、自装置又はアプリケーション又は予め定めた所定の種類のアプリケーション又はその組み合わせにおいて使用可能であってその時点で未使用のリソースの指標を示すリソース指標残量又はその統計処理した値を取得し、前記リソース指標残量値又はその統計処理した値に対し、取り除かれる機能に関するリソース指標を加算し、追加される機能に関するリソース指標を減算し、前記加算及び減算の結果得られる前記リソース指標残量の値が、予め定められている所定の値を超過しない場合には自装置に対する前記機能の入替又は追加を制限し、前記リソース指標残量の値が前記所定の値を超過する場合には、自装置に対する前記機能の追加を制限しない、請求項１に記載の通信装置。
【請求項３】
前記制限部は、自装置又はアプリケーション又は予め定めた所定の種類のアプリケーション又はその組み合わせにおいて、入替される機能又は新規追加される機能に関係する機能に関するリソース指標の合計値であるリソース合計値を取得し、前記リソース合計値に対し、取り除かれる機能に関するリソース指標を減算し、追加される機能に関するリソース指標を加算し、前記減算及び加算の結果得られる前記リソース合計の値又はその統計処理した値が、予め定められている所定の値を超過する場合には自装置に対する前記機能の追加を制限し、前記リソース合計の値又はその統計処理した値が前記所定の値を超過しない場合には、自装置に対する前記機能の追加を制限しない、請求項１に記載の通信装置。
【請求項４】
サービス毎あるいは通信事業者毎に異なる機能等を、汎用化した入出力インタフェースを用いて実現されるソフトウェア部品であるアプリケーションと、該アプリケーションに汎用化した該入出力インタフェースを提供すると共に標準化されている等の理由で、サービスや要求に応じた変更が不要な機能を提供するアクセスネットワーク装置の基盤的構成要素と、を備える通信装置が行う制御方法であって、
自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と、前記機能の入替によって追加される機能に関するリソースの指標の値と、自装置に新規に追加される機能に関するリソース指標の値と、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の追加を制限しない制御ステップ、を有する制御方法。
【請求項５】
コンピュータを、請求項１に記載の通信装置に備わる各機能部として機能させるための制御プログラム。
【発明の詳細な説明】
【技術分野】
【０００１】
本発明は、通信装置、制御方法及び制御プログラムに関する。
【背景技術】
【０００２】
通信装置を備える通信システムには、例えば、ＰＯＮ（Passive Optical Network）システムがある。ＰＯＮシステムは、顧客の宅内等に設置されるＯＮＵ（Optical Network Unit：光加入者線終端装置）と、局舎に設置される通信装置であるＯＬＴ（Optical Line Terminal：光加入者線端局装置）と、両者を接続する光ファイバ網とを備える（非特許文献１参照）。
【０００３】
通信装置において、装置の準拠規格、世代、方式、システム、機器種別、製造ベンダの少なくともいずれかに関して依存性の低い機能を部品化し、当該機能のアプリケーションプログラミングインタフェース（ＡＰＩ：Application Programming Interface）等の入出力インタフェース（ＩＦ：Interface）の少なくとも一部を明確化し、汎用性・移植性・拡張性を高めることで、準拠規格、世代、方式、システム、機器種別、製造ベンダの少なくともいずれかが異なる機器間での共用や独自機能の追加を容易とすることができる（非特許文献２参照）。
【先行技術文献】
【非特許文献】
【０００４】
【非特許文献１】ＩＴＵ−Ｔ勧告Ｇ.９８９．１  40-Gigabit-capable passive optical networks (NG-PON2),2013
【非特許文献２】http://www.ansl.ntt.co.jp/j/FASA/index.html
【発明の概要】
【発明が解決しようとする課題】
【０００５】
しかしながら、装置に部品化する機能を備えるためには、当該機能を備えることで支障がないか確認する必要がある。例えば、機能入替に際し、入替した機能を実現するに要する処理能力、又は機能とその他の部分のやり取りに係る帯域幅が入替前の機能よりも大きい場合、装置全体としての動作が不安定となる問題があった。
上記事情に鑑み、本発明は、機能の入替や追加に際して、動作の安定性の低下を抑える技術の提供を目的としている。
【課題を解決するための手段】
【０００６】
本発明の一態様は、サービス毎あるいは通信事業者毎に異なる機能等を、汎用化した入出力インタフェース（例えば、ＦＡＳＡアプリケーションＡＰＩ）を用いて実現されるソフトウェア部品であるアプリケーション（例えばＦＡＳＡアプリケーション）と、該アプリケーションに汎用化した該入出力インタフェースを提供すると共に標準化されている等の理由で、サービスや要求に応じた変更が不要な機能を提供するアクセスネットワーク装置の基盤的構成要素（例えば、FASA基盤）と、自装置又はアプリケーション又は予め定めた所定の種類のアプリケーションまたはその組み合わせが動作するに際して利用されるリソースに関する所定の指標であるリソース指標に関し、自装置における機能の入替によって取り除かれる機能に関するリソース指標と、前記機能の入替によって追加される機能に関するリソースの指標の値と、自装置に新規に追加される機能に関するリソース指標の値と、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の追加を制限しない制限部と、を備える通信装置である。
【０００７】
本発明の一態様は、上記の通信装置であって、前記制限部は、自装置又はアプリケーション又は予め定めた所定の種類のアプリケーション又はその組み合わせにおいて使用可能であってその時点で未使用のリソースの指標を示すリソース指標残量又はその統計処理した値を取得し、前記リソース指標残量値又はその統計処理した値に対し、取り除かれる機能に関するリソース指標を加算し、追加される機能に関するリソース指標を減算し、前記加算及び減算の結果得られる前記リソース指標残量の値が、予め定められている所定の値を超過しない場合には自装置に対する前記機能の入替又は追加を制限し、前記リソース指標残量の値が前記所定の値を超過する場合には、自装置に対する前記機能の追加を制限しない。
【０００８】
本発明の一態様は、上記の通信装置であって、前記制限部は、自装置又はアプリケーション又は予め定めた所定の種類のアプリケーション又はその組み合わせにおいて、入替される機能又は新規追加される機能に関係する機能に関するリソース指標の合計値であるリソース合計値を取得し、前記リソース合計値に対し、取り除かれる機能に関するリソース指標を減算し、追加される機能に関するリソース指標を加算し、前記減算及び加算の結果得られる前記リソース合計の値又はその統計処理した値が、予め定められている所定の値を超過する場合には自装置に対する前記機能の追加を制限し、前記リソース合計の値又はその統計処理した値が前記所定の値を超過しない場合には、自装置に対する前記機能の追加を制限しない。
【０００９】
本発明の一態様は、ネットワーク機器に備わる１以上の機能を実行し、自身が備えられる通信装置に依存する機器依存部と、前記ネットワーク機器に備わる機能毎に設けられ、自身が備えられる通信装置に依存しない複数の機器無依存アプリと、前記機器依存部と前記機器無依存アプリとを接続し、一の機器無依存アプリと他の機器無依存アプリとを接続するインタフェースと、を備える通信装置が行う制御方法であって、自装置が動作するに際して利用されるリソースに関する所定の指標であるリソース指標に関し、自装置における機能の入替によって取り除かれる機能に関するリソース指標と、前記機能の入替によって追加される機能に関するリソースの指標の値と、自装置に新規に追加される機能に関するリソース指標の値と、に基づいて、使用されるリソースが所定の値を超過する場合には、自装置に対する前記機能の追加を制限し、使用されるリソースが所定の値を超過しない場合には、自装置に対する前記機能の追加を制限しない制御ステップ、を有する制御方法である。
【００１０】
本発明の一態様は、コンピュータを、上記の通信装置に備わる各機能部として機能させるための制御プログラムである。
【発明の効果】
【００１１】
本発明により、機能の入替や追加に際して動作の安定性の低下を抑えることが可能となる。
【図面の簡単な説明】
【００１２】
【図１】他の装置への入力を出力する機能に関する通信装置１００の基本構成を示す図である。
【図２】通信装置のアーキテクチャの第１例を示す図である。
【図３】通信装置のアーキテクチャの第２例を示す図である。
【図４】通信装置のアーキテクチャの第３例を示す図である。
【図５】通信装置のアーキテクチャの第４例を示す図である。
【図６】通信装置のアーキテクチャの第５例と、通信装置のアーキテクチャの第１〜第４例を示す図である。
【図７】通信装置及び外部サーバ１６の構成の例を示す図である。
【図８】光アクセスシステムの概略を示す図である。
【図９】通信装置内の機能部間の信号／情報の流れを示す図である。
【図１０】ＰＯＮ主信号処理機能部３００が有する機能構成の例を示す図である。
【図１１】ＰＯＮアクセス制御機能部３２０が有する機能構成の例を示す図である。
【図１２】Ｌ２主信号処理機能部３４０が有する機能構成の例を示す図である。
【図１３】保守運用機能部３３０が有する機能構成の第１例を示す図である。
【図１４】保守運用機能部３３０が有する機能の構成の第２例を示す図である。
【図１５】保守運用機能部３３０が有する機能構成の第３例を示す図である。
【図１６】ＰＯＮマルチキャスト機能部３５０が有する機能構成の例を示す図である。
【図１７】省電力制御機能部３６０が有する機能構成の例を示す図である。
【図１８】周波数・時刻同期機能部３７０が有する機能構成の例を示す図である。
【図１９】プロテクション機能部３８０が有する機能構成の例を示す図である。
【発明を実施するための形態】
【００１３】
（実施形態１）
図１は、他の装置への入力を出力する機能に関する通信装置１００の基本構成を示す図である。通信装置１００は、実行部１０１と、指示部１０２と、制限部１０３とを備える。通信装置１００は、外部の他の装置と通信する通信部（図示せず）を有する。実行部１０１及び指示部１０２はそれぞれ通信部の内部に備えられてもよいし、通信部の外部に備えられてもよい。
【００１４】
通信装置は、例えば、サービス毎あるいは通信事業者毎に異なる機能等を，汎用化した入出力インタフェース（例えば、ＦＡＳＡアプリケーションＡＰＩ）を用いて実現されるソフトウェア部品であるアプリケーション（例えばＦＡＳＡアプリケーション）と、該アプリケーションに汎用化した該入出力インタフェースを提供すると共に標準化されている等の理由で，サービスや要求に応じた変更が不要な機能を提供するアクセスネットワーク装置の基盤的構成要素（例えば、FASA基盤）とを備える。ここで、汎用化した入出力インタフェースを用いることにより，機能の追加や入替を容易にし，様々な要求のサービスを柔軟かつ迅速に提供する。
【００１５】
実行部１０１は、例えば非特許文献２に記載のＦＡＳＡ基盤中の機能である。
指示部１０２は、通信装置１００に対して入替、追加される機能部品である。指示部１０２は、例えば非特許文献２に記載のＦＡＳＡアプリケーションやＦＡＳＡ基盤中のソフトウェア部品、後述する機器無依存アプリ部等である。
【００１６】
制限部１０３は、機能入替や追加に際し、以下に記載の処理（１）及び処理（２）を行う。制限部は、ＦＡＳＡ基盤に備えてもよく、設定管理アプリケーション等のアプリケーションとして備えてもよく、ＮＥコントローラやプロキシ等の装置外部等のそれ以外の箇所に備えていてもよい。制限部は、受入前又は受入後に収容するアプリケーションの備える指標の合計が所定の値を超過しないアプリケーションのみを受け入れてもよいし、受入前又は受入後に所定の値を超過するアプリケーションを受け入れなくてもよい。指標としては、例えば、アプリケーションーＦＡＳＡ基盤間又はアプリケーション間又はその組み合わせで発生する通信の帯域又は帯域時間積であってもよいし、アプリケーションの要する処理能力であってもよいし、それらの組み合わせであってもよい。また指標は平均値でも最大値でも平均値から所定の分散値に所定の係数を乗じた値等の統計値であってもよい。平均値であれば平均的には処理が可能であり、最大値であれば最悪状態であっても処理が可能であり、平均や分散を用いた統計値であれば統計的に処理が可能である。これはこれ以降の処理でも同様である。
【００１７】
（１）制限部１０３は、通信装備１００又はアプリケーション又は予め定めた所定の種類のアプリケーション又はその組み合わせが動作するに際して利用されるリソースに関する所定の指標（以下「リソース指標」という。）の残量又はその統計処理した値を取得する。リソース指標の残量又はその統計処理した値は、通信装置１００において使用可能であってその時点で未使用のリソースの指標を示す。制限部１０３は、リソース指標の残量に、機能（例えば指示部１０２）の入替によって取り除かれる機能に関するリソース指標の値を加算する等の統計処理をする。また、制限部１０３は、リソース指標の残量から、機能の入替によって追加される機能に関するリソースの指標の値を減算する。また、制限部１０３は、リソース指標の残量から、新規に追加される機能に関するリソースの指標の値を減算する。制限部１０３は、リソース指標の残量が、予め定められている所定の値を超過しない場合には、通信装置１００に対する機能の入替又は追加を制限する。制限される入替又は追加は、機能の入替によって行われる追加であってもよいし、新規の追加であってもよい。一方、制限部１０３は、リソース指標の残量が上記所定の値を超過する場合には、通信装置１００に対する機能の追加を制限しない。ここで、加減算は、所定の重みを乗ずる等の統計処理を行ってもよい。例えば、リソースの使用確率を重みとして乗じてもよいし、平均値に所定の係数の分散値を加減算した値としてもよいし、間欠的にリソースを利用してその間欠的にリソースを利用する周期が同期している場合は同期している分のリソースのみに関して加減算してもよいし、間欠的にリソースを利用するが利用する周期が同期していない場合はリソースを利用する時間が衝突する確率を乗じたりしてもよい。あるアプリケーション又はOS等の環境のリソースを開放する時間や確率、リソースが解放されずに再利用できない時間や確率でリソースが使えないものとして処理してもよい。これは以降の処理でも同様である。
【００１８】
（２）制限部１０３は、通信装置１００又はアプリケーション又は予め定めた所定の種類のアプリケーション又はその組み合わせ内で、入替される機能又は新規追加される機能に関係する機能に関するリソース指標の合計値（以下「リソース合計値」という。）又はその統計処理した値から、機能の入替によって取り除かれる機能に関するリソース指標の値を減算する等の統計処理をする。制限部１０３は、入替によって追加される機能又は新規に追加される機能のリソース指標を、減算後のリソース合計値又はその統計処理した値に加算する。制限部１０３は、加算後のリソース合計値又はその統計処理した値が所定の値を超過する場合には、通信装置１００に対する機能の入替又は追加を制限する。一方、制限部１０３は、リソース指標の合計値又はその統計処理した値が上記所定の値を超過しない場合には、通信装置１００に対する機能の入替又は追加を制限しない。
【００１９】
（３）制限部１０３は、通信装置１００又はアプリケーション又は予め定めた所定の種類のアプリケーション又はその組み合わせが動作するに際して利用されるリソースに関する所定の指標であるリソース指標に関し、機能の入替によって取り除かれる機能に関するリソース指標と、機能の入替によって追加される機能に関するリソースの指標の値又はその統計処理した値と、装置に新規に追加される機能に関するリソース指標の値又はその統計処理した値と、に基づいて、使用されるリソースの値又はその統計処理した値が所定の値を超過する場合には、自装置に対する前記機能の入替又は追加を制限し、使用されるリソースが所定の値を超過しない場合には、自装置に対する前記機能の追加を制限しない。
【００２０】
ここで、所定の指標として、機能数、機能の処理のステップ数、機能のサイズ、機能を配置するメモリ量、機能を配置する論理回路量、関連するＣＰＵ等の演算部の処理量、同アクセス頻度、同入出力の使用帯域、やり取りのスケジュールの衝突確率、ページングのページ数、ページング頻度、処理時間等やその組み合わせである。値は想定される最大値や平均値やその他の統計量である。
【００２１】
予め定めた所定の種類のアプリケーションとして、例えば高速処理しなければならないＤＢＡ（Dynamic bandwidth Assignment）、フィルタ等の主信号処理、プロテクション処理、フレームコピー等の処理がある。このような高速処理等で予め定められた処理のために確保したリソースの値又はその統計処理した値を超過しないアプリケーションの入替又は追加に制限することで、予め定めた所定の種類のアプリケーションの処理が所定のリソースを超過する確率を軽減して安定的な動作が可能となる。
【００２２】
制限部１０３は、通信装置１００内外のいずれにあってもよく、設定管理機能に係るＦＡＳＡアプリケーション等の装置内の指示部１０２の一部又は一部の含まれていてよいし、実行部１０１やＦＡＳＡ基盤等に含まれていてもよいし、装置の管理システム等に含まれていてもよい。
【００２３】
通信装置１００は、例えば、ＰＯＮ等の光ファイバ網等の通信網を経由する光信号等の信号によって、他の通信装置との通信を実行する装置である。通信装置１００は、例えば、ＯＬＴである。通信装置１００は、例えば、ＯＳＵ（Optical Subscriber Unit）でもよい。通信装置１００は、例えば、光信号を切り替えるスイッチ部（ＳＷ）を備える又は備えないＯＬＴと、他のスイッチ部（ＳＷ）との組み合わせでもよい。通信装置１００は、例えば、ＯＬＴとＯＮＵとの組み合わせでもよい。通信装置１００は、複数の機器を備えてもよい。
【００２４】
実行部１０１と指示部１０２のやり取りは、後述のミドルウェアを介すが、通信装置１００の独自の転送経路や手段を用いてもよいし、ＯＰＥＮＦＬＯＷや、ＮＥＴＣＯＮＦ／ＹＡＮＧや、ＳＮＭＰ（Simple Network Management Protocol）等の規格化された手段を用いてもよい。
【００２５】
次に、例として、ＴＷＤＭ（Time and Wavelength Division Multiplex）−ＰＯＮシステムのようなＩＴＵ−Ｔ勧告準拠のＰＯＮのＯＬＴを前提に、動作等を例示する。ここで、ＴＷＤＭ−ＰＯＮとしているが、ＰＯＮは、ＩＴＵ−Ｔ勧告準拠のＴＷＤＭ−ＰＯＮ以外のＰＯＮであってもよい。例えば、ＰＯＮは、ＧＥ（Gigabit Ethernet（登録商標））−ＰＯＮ、１０ＧＥ−ＰＯＮ等のＩＥＥＥ規格準拠のＰＯＮであってもよい。ＴＣ（Transmission Convergence）レイヤやＰＭＤ（Physical Medium Dependent）レイヤは、標準規格において対応する層に読み替えれば同様である。
【００２６】
（実施形態１−１）
実施形態１−１では、ＴＷＤＭ−ＰＯＮに用いられる通信システムを構成する通信装置１００の構成について説明する。以下、通信装置１００のアーキテクチャの例として、第１例から第６例までを説明する。通信システムを構成する通信装置１００のアーキテクチャは、下記で説明する第１例から第６例まで以外のアーキテクチャであってよい。例えば、アーキテクチャの第１例から第６例における通信装置１００のソフトウェア部は、ハードウェア部でもよい。
【００２７】
（アーキテクチャの第１例）
図２は、通信装置のアーキテクチャの第１例を示す図である。以下の説明では、符号の煩雑さを解消するため図１に表された符号の記載を省略する。アーキテクチャの第１例では、通信装置は、準拠する標準や製造ベンダに依存する機器依存部と、機器依存部のハードウェアやソフトウェアの違いを隠蔽するミドルウェア部と、動作が機器に依存しない汎用の機器無依存アプリ部とを備える。したがって、機器依存部（ベンダ依存部）は、通信装置の機器が準拠する標準規格や機器の製造ベンダに依存する機能部である。また、機器無依存アプリ部は、通信装置の機器が準拠する標準規格や機器の製造ベンダに依存しない機能部である。
【００２８】
ミドルウェア部と機器無依存アプリ部とは、機器無依存ＡＰＩを介して接続される。機器無依存ＡＰＩは、機器に依存しない入出力ＩＦである。
機器依存部は、例えばハードウェア部（ＰＨＹ）、ハードウェア部（ＭＡＣ）、ソフトウェア部及びＯＡＭ（Operation Administration and Maintenance）部を備えて構成される。ハードウェア部、ハードウェア部、ソフトウェア部３及びＯＡＭ部と、ミドルウェア部とは、機器依存ＡＰＩを介して接続される。機器依存ＡＰＩは、機器に依存する入出力ＩＦである。機器依存部は、更にＮＥ（Network Element）管理・制御部を備える。ＮＥ管理・制御部とミドルウェア部とは、機器依存ＡＰＩを介して接続される。機器依存ＡＰＩは、機器に依存する入出力ＩＦである。
【００２９】
どのような機能を機器依存部又は機器無依存アプリ部とするかは、ミドルウェア部や機器無依存アプリ部を実現するための処理に由来する制限、例えば、ソフトウェアの処理能力に由来する制限に加えて、機能の更新頻度や拡張機能の重要度等に応じて決められてもよい。これによって、通信装置は、機器無依存アプリ部による拡張機能部（独自機能部）の柔軟かつ迅速な追加を容易にし、通信サービスをタイムリーに提供することができる。
【００３０】
例えば、主信号の優先処理や回線の利用効率を向上するＤＢＡ（Dynamic Bandwidth Assignment）等の更新頻度が高い機能又は通信サービス差異化に寄与する機能を優先して、機器依存部又は機器無依存アプリ部とすることを決めてもよい。更に、共用化を図る機器の準拠する標準規格、世代、方式、システム、機器種別、製造ベンダの少なくともいずれかに関して差異の隔たりが小さいものから、機器無依存アプリ部としてもよい。
【００３１】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部の準拠する標準規格、世代、方式、システム、機器種別、製造ベンダのいずれかにおいて使用されないＩＦやパラメータが含まれていてもよい。
【００３２】
図２及び後述する図３に示すミドルウェア部と、後述する図４及び後述する図５に示す機器依存部のドライバと、後述する図３及び後述する図５に示す機器依存アプリ部（ベンダ依存アプリ部）との少なくともいずれかに、ＩＦやパラメータ等を機器依存部に対応するように変換する変換機能部や、不足するＩＦやパラメータ等に対応して自動設定する機能部を更に備えてもよい。
【００３３】
図２では、機器依存部は、ハードウェア部（ＰＨＹ）及びハードウェア部（ＭＡＣ）と、ソフトウェア部とを備える。ハードウェア部（ＰＨＹ）は、物理層から光送受信関連の処理まで（PHYsical sublayer処理）を実行する。ハードウェア部（ＭＡＣ）は、ＭＡＣ（Media Access Control）処理を実行する。ハードウェア部及びハードウェア部は、準拠する標準規格や製造ベンダに依存する。ソフトウェア部は、機器依存のドライバ、ファームウェア、アプリケーション等を実行する。
【００３４】
機器依存部のハードウェア部及びハードウェア部は、これら以外に汎用サーバやレイヤ２スイッチ等を備えてもよい。機器依存部は、ハードウェア部（ＭＡＣ）を備えなくてもよい。機器依存部は、ハードウェア部（ＰＨＹ）の一部を備えなくてもよい。例えば、機器依存部は、変復調信号処理、前方誤り訂正（ＦＥＣ：Forward Error Correction）、符復号処理、暗号化処理等の低位の信号処理を備えずに、光関連の機能のみを備えてもよい。機器依存部は、データを符号化する部分であるＰＣＳ（Physical Coding Sublayer）を備えなくてもよい。機器依存部は、データのシリアル化を行うＰＭＡ（Physical Medium Attachment）とＰＣＳとを備えなくてもよい。機器依存部は、物理媒体に接続するＰＭＤを備えなくてもよい。機器依存部は、ミドルウェア部がソフトウェア部を介さずに機器依存部のハードウェア部及びハードウェア部を直接に駆動、制御、操作又は管理する場合、ソフトウェア部を備えなくてもよい。
【００３５】
機器無依存アプリ部は、例えば、拡張機能部と、基本機能部と、管理・制御エージェント部とを備える。管理・制御エージェント部は、ＥＭＳ（Element Management System）からデータを取得する。図ではＥＭＳ及び外部の装置がミドルウェアを介して機器無依存アプリに接続しているが、ＥＭＳ及び外部の装置は必ずしもミドルウェアを介して機器無依存アプリに接続している必要はない。ＥＭＳ及び外部の装置は、必要に応じてミドルウェアに適宜接続してもよいし、機器無依存アプリに直接接続してもよい。また「ミドルウェア経由で接続」と表現しているが、この表現は機器無依存アプリからみた視点での表現である。実際には、ハードウェアでの接続の後にミドルウェアを介して機能無依存アプリ同士が接続している。
【００３６】
以下、拡張機能部に共通する事項については、符号の一部を省略して、「拡張機能部」と表記する。ＥＭＳは、例えば、ＮＥのコントローラである。なお、機器無依存アプリ部は、拡張機能部と基本機能部と管理・制御エージェント部とのうちいずれかを含まなくてもよいし、管理・制御エージェント部が基本機能部に含まれていてもよいし、管理・制御エージェント部が基本機能部やミドルウェア部に含まれていてもよい。
【００３７】
機器無依存アプリ部は、拡張機能部、基本機能部、及び管理・制御エージェント部以外の構成を、更に含んでいてもよい。例えば、拡張機能部が不要である場合、機器無依存アプリ部は、拡張機能部を備えなくてもよい。また、機器無依存アプリ部は、１個以上の拡張機能部を含んでもよい。
【００３８】
拡張機能部は、他の機能に不要な影響を与えずに独立して追加、削除、入替又は変更が可能であることが好ましい。例えば、拡張機能部は、サービス上の要求に合わせて、例えばマルチキャストサービス、省電力対応を実行する拡張機能部が必要になった場合、適宜に追加、削除、入替又は変更されてもよい。
【００３９】
基本機能部は、拡張機能部の一部として機器無依存アプリ部に含まれてもよいし、ミドルウェア部よりも下位の機能部によって代替されてもよい。拡張機能部が基本機能部を含む場合、機器無依存アプリ部は基本機能部を含まなくてもよい。ミドルウェア部よりも下位の機能部が基本機能部を代替する場合、機器無依存アプリ部は基本機能部を含まなくてもよい。拡張機能部が基本機能部を含み、ミドルウェア部よりも下位の機能部が基本機能部を代替する場合、機器無依存アプリ部は基本機能部を含まなくてもよい。
【００４０】
管理・制御エージェント部は、ＥＭＳからの通信を受けずに、予め定められた設定に従って自動設定する場合、ＥＭＳと入出力しなくてよい。更に、管理・制御エージェント部が管理設定機能を備えず、他の機器無依存アプリ部や基本機能部や機器依存部が管理設定機能を備える場合、機器無依存アプリ部は、管理・制御エージェント部を備えなくてもよい。
【００４１】
ＥＭＳと機器無依存アプリ部とは、情報を直接入出力してもよい。また、機器依存部は、ＮＥ管理・制御部と、ＮＥ管理・制御部の下位の機能部の機器依存アプリ部（後述する図３及び後述する図５参照）によって代替されてもよい。
【００４２】
管理・制御エージェント部は、予め定められた設定に従って自動設定する場合、ＥＭＳとの間で情報を入出力しなくてよい。更に、管理設定機能を管理・制御エージェント部が備えず他の機器無依存アプリ部や基本機能部や機器依存部が管理設定機能を備える場合、機器無依存アプリ部は、管理・制御エージェント部を備えなくてもよい。ＥＭＳと機器無依存アプリ部とは、情報を直接入出力してもよい。
【００４３】
機器無依存アプリ部と機器依存部との入出力の例は以下である。
例えば、ＤＢＡアプリ部及びプロテクションアプリ部は、ＴＣレイヤのエンベデッドＯＡＭエンジン（Embedded OAM Engine）と、相互に情報を入出力する。ＤＷＢＡ（Dynamic Wavelength and Bandwidth Assignment）アプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤ（Multicast Listener Discover）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ（XGPON Encapsulation Method Framer）及び暗号化を動作させる。ここで、ＤＷＢＡとＤＢＡは、別々、一体又は組み合わせでもよい。例えば、管理・制御エージェント部は、保守運用機能のアプリ部であり、ＮＥ管理・制御部のためのＮＥコントローラ等であるＥＭＳと、相互に情報を入出力する。
【００４４】
なお、機器無依存アプリ部の実装には、優先順位があってもよい。例えば、管理・制御エージェント部が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【００４５】
機器無依存アプリ部は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢ（Broadband）ＰＯＮとのいずれにもよらずに動作するアプリである。機器無依存アプリ部は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異の少なくともいずれかによらずに動作するアプリである。
【００４６】
拡張機能部のアプリとして、機器無依存ＡＰＩを介して、一部のベンダ、方式、種別、世代に備える機能を駆動するためのアプリや、一部のベンダ、方式、種別、世代の装置のみに備える機能を駆動するアプリを含んでいてもよい。
【００４７】
管理・制御エージェント部は、ＥＭＳ及びミドルウェア部と入出力する。ミドルウェア部は、ＮＥ管理・制御部との間で、ＮＥ管理情報及び制御情報を入出力する。ＮＥ管理・制御部は、ミドルウェア部を介さずに、ＮＥ管理情報及び制御情報をＥＭＳと直接送受信してもよいし、管理・制御エージェント部を介して、ＮＥ管理情報及び制御情報を送受信してもよい。
【００４８】
ミドルウェア部は、機器無依存アプリ部と機器無依存ＡＰＩを介して情報を入出力する。ミドルウェア部は、機器依存ＡＰＩを介して、機器依存部のＯＡＭ部、ドライバ、ファームウェア、ハードウェア部又はハードウェア部と情報を入出力する。ミドルウェア部は、入力した情報を、そのまま又は所定の形式で出力する。例えば、ミドルウェア部は、出力先が機器無依存アプリ部の各部であれば、機器無依存ＡＰＩの各部の入力形式に情報を変換する。出力先が機器依存部のＯＡＭ部、ドライバ、ファームウェア、ハードウェア部又はハードウェア部であれば、ミドルウェア部は、それぞれに入力する形式の機器依存ＡＰＩの形式に変換してから、又は終端して所定の処理を施してから情報を出力先に送信する。
【００４９】
ミドルウェア部は、入力の際に、それぞれの入力先に不要な入力情報は削除し、不足の情報があれば、他の機器無依存ＡＰＩや機器依存ＡＰＩを介して収集して補足することが望ましい。また、ミドルウェア部への入力の際に、ブロードキャスト又はマルチキャストして、関連するアプリ等に同報することとしてもよい。
【００５０】
図２では、ミドルウェア部や機器依存部は単一で例示したが、それぞれ複数から構成されていてもよい。機器依存部のハードウェアに複数のプロセッサが含まれる場合、ミドルウェア部はプロセッサやハードウェアをまたいでプロセッサ間通信等を用いて入出力してもよい。機器無依存アプリ部間や機器無依存アプリ部をＤＬＬ（Dynamic Link Library）のような実行プログラムとして、単一のプロセッサ上のユーザ空間上に配置してもよいし、複数のプロセッサ上のユーザ空間上に配置してもよい。
【００５１】
また、機器無依存アプリ部は、ＡＰＩ等の入出力ＩＦを確保した上でカーネル空間に配置してもよいし、独立にファームウェア等に入替可能なＩＦを有するミドルウェア部とともに配置してもよいし、ファームウェア等に組み込んでコンパイルし直してもよい。機器無依存アプリ部毎にユーザ空間やカーネル空間を任意の組み合わせとしてもよい。
【００５２】
同一の機能に対応する機器無依存アプリ部を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部のソフトウェアも同様である。
【００５３】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部（後述する図３及び後述する図５参照）を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【００５４】
機器無依存ＡＰＩは、追加する拡張機能部を想定してミドルウェア部に予め備えられることが望ましいが、機器依存ＡＰＩや他の機器無依存アプリ部の改変を抑制する形で、必要に応じて追加又は削除されてもよい。
【００５５】
なお、本例では、ソフト化領域を、基本機能部、管理・制御エージェント部、拡張機能部、ミドルウェア部としたが、ソフト化領域は、サービスアダプテーション（暗号化、フラグメント処理、ＧＥＭフレーム化／ＸＧＥＭフレーム化、ＰＨＹアダプテーションのＦＥＣ、スクランブル、同期ブロック生成／抽出、ＧＴＣ（GPON Transmission Convergences）フレーム化、ＰＨＹフレーム化、ＳＰ変換、符号化方式も対象としてもよい。アーキテクチャのソフト化機能の実装例とハードウェア部及びハードウェア部に対応する機能配備の例を説明する。機能配備は、例えば、ネットワーク機器又は外部のサーバにソフト化機能を備える。これは他の例でも同様である。
【００５６】
（アーキテクチャの第２例）
図３は、通信装置のアーキテクチャの第２例を示す図である。図３では、通信装置は、図２に示す通信装置のミドルウェア部の配下に機器依存アプリ部を更に備えた構成である。アーキテクチャの第２例は、機器依存アプリ部を備えること以外は、アーキテクチャの第１例と同様である。
【００５７】
図３では、通信装置は、準拠する機器依存部の標準規格又は機器製造ベンダに依存するハードウェア部（ＰＨＹ）及びハードウェア部（ＭＡＣ）と、ハードウェア部及びハードウェア部を駆動するドライバ、ファームウェア等を実行するソフトウェア部と、機器依存部のハードウェア部及びハードウェア部やソフトウェア部の少なくとも一部を駆動する機器依存アプリ部と、機器依存部のハードウェア部、ハードウェア部、ソフトウェア部及び機器依存アプリ部の違いを隠蔽するミドルウェア部と、機器に依存しない汎用の機器無依存アプリ部とを備える。
【００５８】
ミドルウェア部と機器依存アプリ部とは、機器依存ＡＰＩで接続される。機器依存アプリ部と、機器依存部のＯＡＭ部、ソフトウェア部、ハードウェア部及びハードウェア部とは、機器依存ＡＰＩで接続される。機器依存アプリ部と管理・制御エージェント部とは、ＡＰＩで接続される。
【００５９】
機器無依存アプリ部は、例えば、ＥＭＳからの通信を受ける管理・制御エージェント部と、基本機能部と、拡張機能部とを備える。機器無依存アプリ部は、アーキテクチャの第１例と同様に、管理・制御エージェント部と基本機能部と拡張機能部とのうちいずれかを備えなくてもよい。機器無依存アプリ部は、管理・制御エージェント部と基本機能部と拡張機能部と以外の機能部を、更に備えてもよい。また、拡張機能部は、アーキテクチャの第１例と同様に、他の機能に影響を与えずに追加、削除、入替又は変更が可能であることが好ましい。
【００６０】
基本機能部は、各拡張機能部の一部として含まれていてもよいし、ミドルウェア部の下位で代替されてもよい。拡張機能部が基本機能部を含む場合や、ミドルウェア部の下位が基本機能部を代替する場合や、それらの組み合わせである場合、機器無依存アプリ部は基本機能部を含まなくてもよい。
【００６１】
また、基本機能部の一部もミドルウェア部の下位の機器依存アプリ部で代替してもよい。管理・制御エージェント部は、予め定められた設定に従って自動設定する場合、ＥＭＳとの間で情報を入出力しなくてよい。更に、管理設定機能を管理・制御エージェント部が備えず、他の機器無依存アプリ部や基本機能部や機器依存部が管理設定機能を備える場合、機器無依存アプリ部は、管理・制御エージェント部を備えなくてもよい。
【００６２】
ＥＭＳと機器無依存アプリ部とは、直接入出力してもよい。ミドルウェア部の下位が基本機能部の全てを代替する場合、機器無依存アプリ部は、基本機能部を備えなくてもよい。
【００６３】
図３に示す通信装置において、機器依存アプリ部は、ミドルウェア部を介して情報を入出力してもよいし、管理・制御エージェント部から情報を直接入出力してもよいし、両者のうちのいずれかとの間で情報を入出力してもよいし、ＥＭＳと直接入出力してもよい。また、機器依存アプリ部が、ＥＭＳからの通信を受けずに、予め定められた設定に従って自動設定されており、ミドルウェア部を介してＥＭＳから管理及び制御情報を取得可能である場合、機器無依存アプリ部は、管理・制御エージェント部を備えなくてもよい。
【００６４】
機器無依存アプリ部は、ミドルウェア部を介して少なくとも機器依存部のハードウェア部及びハードウェア部との間又はソフトウェア部との間で、情報を入出力する。機器無依存アプリ部は、必要に応じてミドルウェア部を介して、相互に入出力する。特に、機器無依存アプリ部は、ＥＭＳとの間で入出力された情報に応じて制御又は管理を実行する場合、ＥＭＳからの通信を受ける管理・制御エージェント部との間で、情報を入出力する。
【００６５】
ＮＥ管理・制御部は、ミドルウェア部を介して管理・制御エージェント部との間で、ＮＥ管理情報及び制御情報を入出力する。ＮＥ管理・制御部は、ミドルウェア部を介さずに、ＥＭＳとの間で、ＮＥ管理情報及び制御情報を直接入出力してもよい。
【００６６】
機器依存アプリ部は、管理・制御エージェント部との間で、ＮＥ管理情報及び制御情報を入出力している。機器依存アプリ部は、管理・制御エージェント部を介さずに、ＥＭＳとの間で、情報を直接入出力してもよい。管理・制御エージェント部は、ＥＭＳ、ミドルウェア部及び機器依存アプリ部との間で、情報を入出力する。ミドルウェア部は、ＮＥ管理・制御部との間で、ＮＥ管理情報及び制御情報を入出力する。
【００６７】
ＮＥ管理・制御部は、ミドルウェア部を介さずに、ＥＭＳとの間で、ＮＥ管理情報及び制御情報を直接入出力してもよい。ミドルウェア部は、機器無依存アプリ部との間で、機器無依存ＡＰＩを介して情報を入出力し、機器依存部のＯＡＭ部、ドライバ、ファームウェア、ハードウェア部及びハードウェア部との間で、機器無依存ＡＰＩを介して情報を入出力する。
【００６８】
ミドルウェア部は、図２に示すミドルウェア部と同様に、そのまま又は所定の形式で入力する。機器無依存ＡＰＩは、後から追加する拡張機能部を想定して、予めミドルウェア部に備えることが望ましいが、必要に応じて、機器依存ＡＰＩや他の機器無依存アプリ部の改変を抑制する形で追加又は削除してもよい。
【００６９】
（アーキテクチャの第３例）
図４は、通信装置のアーキテクチャの第３例を示す図である。図４では、図２に示すアーキテクチャの第１例で説明したミドルウェア部の代わりに、基本機能部が、ハードウェア部及びハードウェア部と、拡張機能部との入出力を行う。その他の機器無依存アプリ部は、アーキテクチャの第１例と同様である。
【００７０】
アーキテクチャの第１例と比べて、第３例は、機器依存ＡＰＩを備えるミドルウェア部を、準拠する標準規格、世代、方式、システム、機器種別、製造ベンダの少なくともいずれかが異なる機器毎に作成する必要がない。これによって、アーキテクチャの第３例の通信装置は、機器間世代間でより多くの機能を汎用化して移植し易く、接続性の検証も容易で、機器の機能が堅牢となる効果がある。
【００７１】
アーキテクチャの第３例による通信装置は、機器依存部と、機器無依存アプリ部とを備える。機器依存部は、準拠する標準規格又は機器製造ベンダ等に依存するハードウェア部及びハードウェア部と、ハードウェア部及びハードウェア部を駆動するドライバ、ファームウェア等のソフトウェア部とを備える。ドライバ等は、機器依存部の違いを隠蔽する。
【００７２】
機器無依存アプリ部は、拡張機能部と、基本機能部とを備える。基本機能部は、ハードウェア部及びハードウェア部と機器依存のソフトウェア部との違いを隠蔽するドライバを介して、機器無依存ＡＰＩ（移植用ＩＦ）により機器依存部と接続する。機器無依存アプリ部は、ハードウェア部及びハードウェア部と機器依存のソフトウェア部との違いを隠蔽するドライバを介して、ハードウェア部及びハードウェア部と機器依存のソフトウェア部との間で、データを入出力する。
【００７３】
基本機能部と拡張機能部とは、機器無依存ＡＰＩ（拡張用ＩＦ）を介して接続される。基本機能部と機器依存部とは、機器無依存ＡＰＩを介して接続される。機器無依存アプリ部の内の基本機能部が、ミドルウェア部の代わりに、ハードウェア部及びハードウェア部や拡張機能部との間で、情報の入出力を行う。
【００７４】
機器無依存アプリ部は、必要に応じて基本機能部を介して、相互に入出力する。機器無依存アプリ部の拡張機能部は、基本機能部及び機器無依存ＡＰＩを介して、情報を入出力する。基本機能部は、機器無依存アプリ部と機器無依存ＡＰＩを介して情報を入出力し、機器依存部のＯＡＭ部、ドライバ、ファームウェア、ハードウェア部及びハードウェア部と機器無依存ＡＰＩとを介して情報を入出力する。
【００７５】
基本機能部は、図２に示すミドルウェア部と同様に、そのまま又は所定の形式で運用情報を入力する。例えば、他の機器無依存アプリ部であれば、基本機能部は、入力する形式の機器無依存ＡＰＩの形式にそれぞれに変換し、機器依存のＯＡＭ部、ドライバ、ファームウェア、ハードウェア部であれば、入力する形式の機器無依存ＡＰＩの形式にそれぞれに変換してから、又は終端して所定の処理を施してから運用情報を入力する。入力の際に、基本機能部は、それぞれの入力先に不要な入力情報を削除し、不足の情報があれば、他の機器無依存ＡＰＩや機器無依存ＡＰＩを介して収集して補足することが望ましい。しかし、基本機能部は、入力先への入力を、ブロードキャスト又はマルチキャストして、関連するアプリ等に同報することとしてもよい。
【００７６】
機器無依存アプリ部は、例えば、拡張機能部と、基本機能部とを備える。機器無依存アプリ部は、拡張機能部と基本機能部とのうち、いずれかを備えなくてもよい。機器無依存アプリ部は、拡張機能部と基本機能部と以外の機能部を、更に備えてもよい。例えば、拡張機能部が不要である場合、機器無依存アプリ部は、拡張機能部を備えなくてよい。
【００７７】
拡張機能部は、他の機能に影響を与えることなく独立に追加又は削除可能であることが好ましい。例えば、サービス上の要求に合わせて、例えばマルチキャストサービス、省電力対応を拡張機能部とする場合、拡張機能部が必要になった場合に、適宜追加し、不要となった場合に適宜削除し、変更に応じて入替又は変更してもよい。
【００７８】
機器無依存ＡＰＩは、後から追加する拡張機能部を想定して、基本機能部に予め備えることが望ましいが、必要に応じて、機器無依存ＡＰＩ、機器無依存ＡＰＩ、他の機器無依存アプリ部の改変を抑制する形で、追加又は削除してもよい。
【００７９】
（アーキテクチャの第４例）
図５は、通信装置のアーキテクチャの第４例を示す図である。アーキテクチャの第４例とアーキテクチャの第３例との違いは、通信装置が、基本機能部の配下に、機器依存アプリ部を備える点である。このように、アーキテクチャの第４例の通信装置は、機器依存アプリ部を備えることで、基本機能部の構成を簡易化できる効果がある。
【００８０】
図５に示す通信装置は、機器依存部と、機器無依存アプリ部とを備える。機器依存部は、準拠する標準規格又は機器製造ベンダに依存するハードウェア部及びハードウェア部と、ハードウェア部及びハードウェア部を駆動するドライバ、ファームウェア等のソフトウェア部と、機器依存部の少なくとも一部分を駆動する機器依存アプリ部とを有する。機器無依存アプリ部は、移植用ＩＦとハードウェア部及びハードウェア部と機器依存のソフトウェアとの違いを隠蔽するドライバを介して又は移植用ＩＦと機器依存アプリ部とを介して、機器に依存しない処理を実行する汎用の機器無依存アプリである。機器無依存アプリ部内の基本機能部と、機器依存部内の機器依存アプリ部とは、機器無依存ＡＰＩを介して接続される。機器依存アプリ部と機器依存部は、機器依存ＡＰＩを介して接続される。
【００８１】
機器無依存アプリ部内の基本機能部は、ミドルウェア部の代わりに、基本機能部がハード、拡張機能部との入出力を行う。基本機能部の中に、ＥＭＳからの通信を受ける管理・制御エージェント部相当を含んでいてもよいし、拡張機能部として管理・制御エージェント部を備えてもよい。
【００８２】
基本機能部は、機器無依存アプリ部と機器無依存ＡＰＩ（拡張用ＩＦ）を介して入出力し、機器依存部のＯＡＭ部、ドライバ、ファームウェア、ハードウェア部及びハードウェア部と機器無依存ＡＰＩ（移植用ＩＦ）と機器依存部の差異を隠蔽する機器依存部のドライバ又は機器依存アプリ部と機器依存ＡＰＩを介して入出力する。
【００８３】
基本機能部は、図２に示すミドルウェア部と同様に、そのまま又は所定の形式で入力する。アーキテクチャの第３例と同様に、基本機能部の中に、ＥＭＳからの通信を受ける管理・制御エージェント部相当を含んでいてもよいし、拡張機能部として管理・制御エージェント部を備えてもよい。
【００８４】
機器無依存アプリ部は、例えば、拡張機能部と、基本機能部とを備える。機器無依存アプリ部は、アーキテクチャの第３例と同様に、拡張機能部と基本機能部とのいずれかを備えなくてもよい。機器無依存アプリ部は、アーキテクチャの第３例と同様に、拡張機能部と基本機能部と以外の機能部を、更に備えてもよい。
【００８５】
拡張機能部は、アーキテクチャの第３例と同様に、互いに独立に他の機能に影響を与えずに、追加、削除、入替又は変更が可能であることが好ましい。基本機能部の一部は、機器依存アプリ部で代替してもよい。機器依存アプリ部は、情報を基本機能部から直接入出力しているが、そのまま又は所定の変換の後に、基本機能部を介さずにＥＭＳとの間で情報を入出力してもよい。
【００８６】
機器無依存ＡＰＩは、図２に示すアーキテクチャの第１例と同様に、後から追加する拡張機能部を想定して、基本機能部に予め備えることが望ましいが、機器無依存ＡＰＩ、機器無依存ＡＰＩ、他の機器無依存アプリ部、機器依存アプリ部又は機器依存ＡＰＩの改変を抑制する形で、必要に応じて追加又は削除してもよい。
【００８７】
（アーキテクチャの第５例）
図６の右上図は、アーキテクチャの第５例を示す図である。図６の右下図はアーキテクチャの第１〜第４例に相当する。本例では、通信装置は、既存／市中品ハードウェアと外付ハードウェアからなる。例えば既存／市中品ハードウェアは機器に依存する非汎用の機器依存部であり、外付ハードウェア上にハードウェアやソフトウェアの違いを隠蔽するミドルウェア部と、動作が機器に依存しない汎用の機器無依存アプリ部とを備える。したがって、同図のミドルウェア以下の機器依存部（ベンダ依存部）は、通信装置の機器が準拠する標準規格や機器の製造ベンダに依存する機能部である。また、機器無依存アプリ部は、通信装置の機器が準拠する標準規格や機器の製造ベンダに依存しない機能部である。
【００８８】
ミドルウェア部と機器無依存アプリ部とは、機器に依存しない入出力ＩＦである機器無依存ＡＰＩを介して接続される。機器依存部の例えば、ソフトウェア部、ＯＡＭ、ハードウェア部及びハードウェア部と、外付ハードウェア上のミドルウェア部とは、機器に依存する入出力ＩＦである機器依存ＡＰＩ及び既存／市中品ハードウェアと外付ハードウェア間の機器間接続を介して接続される。
【００８９】
実行部３は機器依存部に、指示部５は例えば、機器無依存アプリ部に配置する。本アーキテクチャでは機器無依存アプリ部による拡張機能部（独自機能部）の柔軟及び迅速な追加を容易にし、通信サービスをタイムリーに提供することができる。ここで、機器依存部は、図６に示す保守運用、アクセス制御、物理層処理、光モジュルであってもよく、機器自体の構成による。
【００９０】
例えば、主信号の優先処理や回線の利用効率を向上するＤＢＡ等の更新頻度が高い機能又は通信サービス差異化に寄与する機能を優先して、機器依存部又は機器無依存アプリ部とすることを決めてもよい。更に、共用化を図る機器の準拠する標準規格、世代、方式、システム、機器種別、製造ベンダの少なくともいずれかに関して差異の隔たりが小さいものから、機器無依存アプリ部としてもよい。
【００９１】
ここで、機器依存部を実行部、機器無依存アプリを指示部としたが、機能配備により、共に機器無依存アプリであってもよいし、共に機器依存部であってもよい。共に機器無依存アプリである例としては、例えば、ＤＢＡ処理等の機能の実施部を非力な送受信機に備えるプロセッサ等の情報処理部に備え、指示部を強力な情報処能力を備えるその他の箇所の情報処理部、例えばＯＳＵ等に備え、ミドルウェアとして装置間のプロセッサ間通信や装置間通信が働く場合である。共に機器依存部に備える場合は、左記の例と同様にファームウェア等の一部としてそれぞれＤＢＡ機能をコンパイルした場合等である。
【００９２】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦが用いられてもよい。共通ＩＦの中には、機器依存部の準拠する標準規格、世代、方式、システム、機器種別、製造ベンダのいずれかにおいて使用されないＩＦやパラメータが含まれていてもよい。
【００９３】
ミドルウェア部と、機器依存部のドライバと、機器依存アプリ部（ベンダ依存アプリ部）との少なくともいずれかに、ＩＦやパラメータ等を機器依存部に対応するように変換する変換機能部や、不足するＩＦやパラメータ等に対応して自動設定する機能部を更に備えてもよい。
【００９４】
機器依存部は、ハードウェア部と、ソフトウェア部とを備える。ソフトウェア部は、機器依存のドライバ、ファームウェア、アプリケーション等を実行する。
機器依存部は、物理媒体に接続するＰＭＤ、ＭＡＣ、データのシリアル化を行うＰＭＡ、データを符号化する部分であるＰＣＳ又はＰＨＹの一部を備えなくてもよい。例えば、変復調信号処理、前方誤り訂正（ＦＥＣ）、符復号処理、暗号化処理等の低位の信号処理を備えずに光関連の機能のみを備えてもよい。
【００９５】
機器無依存アプリ部は、例えば、ＥＭＳからデータを取得する管理・制御エージェント部と、拡張機能部と、基本機能部とである。以下、拡張機能部に共通する事項については、符号の一部を省略して、「拡張機能部」と表記する。ＥＭＳは、例えば、ネットワーク・エレメントを制御するコントローラである。なお、機器無依存アプリ部は、管理・制御エージェント部と拡張機能部と基本機能部とのうちいずれかを含まなくてもよい。
【００９６】
機器無依存アプリ部は、管理・制御エージェント部、拡張機能部及び基本機能部以外の構成を、更に含んでいてもよい。例えば、拡張機能部が不要である場合、機器無依存アプリ部は、拡張機能部を備えなくてもよい。また、機器無依存アプリ部は、１個以上の拡張機能部を含んでもよい。
【００９７】
拡張機能部は、他の機能に不要な影響を与えずに独立して追加、削除、入替又は変更が可能であることが好ましい。例えば、拡張機能部は、サービス上の要求に合わせて、例えばマルチキャストサービス、省電力対応を実行する拡張機能部が必要になった場合、適宜に追加、削除、入替又は変更されてもよい。
【００９８】
基本機能部は、拡張機能部の一部として機器無依存アプリ部に含まれてもよいし、ミドルウェア部よりも下位の機能部によって代替されてもよい。拡張機能部が基本機能部を含む場合、機器無依存アプリ部は基本機能部を含まなくてもよい。ミドルウェア部よりも下位の機能部が基本機能部を代替する場合、機器無依存アプリ部は基本機能部を含まなくてもよい。拡張機能部が基本機能部を含み、ミドルウェア部よりも下位の機能部が基本機能部を代替する場合、機器無依存アプリ部は基本機能部を含まなくてもよい。
【００９９】
管理・制御エージェント部は、ＥＭＳからの通信を受けずに、予め定められた設定に従って自動設定する場合、ＥＭＳと入出力しなくてよい。更に、管理・制御エージェント部が管理設定機能を備えず、他の機器無依存アプリ部や基本機能部や機器依存部が管理設定機能を備える場合、機器無依存アプリ部は、管理・制御エージェント部を備えなくてもよい。
【０１００】
ＥＭＳと機器無依存アプリ部とは、情報を直接入出力してもよい。また、機器依存部は、ＮＥ管理・制御部と、ＮＥ管理・制御部のＩＦとを備えなくともよい。
基本機能部は、拡張機能部の一部として機器無依存アプリ部に含まれてもよいし、ミドルウェア部の下位の機能部によって代替されてもよい。拡張機能部が基本機能部を含む場合や、ミドルウェア部の下位の機能部が基本機能部を代替する場合や、それらの組み合わせである場合、機器無依存アプリ部は基本機能部を含まなくてもよい。また、基本機能部の一部は、ミドルウェア部の下位の機能部の機器依存アプリ部によって代替されてもよい。
【０１０１】
管理・制御エージェント部は、予め定められた設定に従って自動設定する場合、ＥＭＳとの間で情報を入出力しなくてよい。更に、管理設定機能を管理・制御エージェント部が備えず他の機器無依存アプリ部や基本機能部や機器依存部が管理設定機能を備える場合、機器無依存アプリ部は、管理・制御エージェント部を備えなくてもよい。ＥＭＳと機器無依存アプリ部とは、情報を直接入出力してもよい。
【０１０２】
機器無依存アプリ部と機器依存部との入出力の例は以下である。例えば、ＤＢＡアプリ部及びプロテクションアプリ部は、ＴＣレイヤのエンベデッドＯＡＭエンジンと、相互に情報を入出力する。ＤＷＢＡアプリ及びＯＮＵ登録認証アプリ部は、ＴＣレイヤのＰＬＯＡＭエンジンと、相互に情報を入出力する。省電力アプリ部は、ＯＭＣＩ及びＬ２主信号処理機能部（Ｌ２機能部）と相互に情報を入出力する。ＭＬＤプロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭフレーマ及び暗号化を動作させる。ここで、ＤＷＢＡとＤＢＡは、別体、一体又は組み合わせでもよい。例えば、管理・制御エージェント部は、保守運用機能のアプリ部であり、ＮＥ管理・制御部のためのＮＥコントローラ等であるＥＭＳと、相互に情報を入出力する。
【０１０３】
なお、機器無依存アプリ部の実装には、優先順位があってもよい。例えば、管理・制御エージェント部が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【０１０４】
機器無依存アプリ部は、機器のベンダ、方式、機器種別、機器の世代、例えば、ＩＴＵ−Ｔ  Ｇ．９８９シリーズに準拠するＴＷＤＭ−ＰＯＮと、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異の少なくともいずれかによらずに動作するアプリである。
【０１０５】
拡張機能部のアプリとして、機器無依存ＡＰＩを介して、一部のベンダ、方式、種別、世代に備える機能を駆動するためのアプリや、一部のベンダ、方式、種別、世代の装置のみに備える機能を駆動するアプリを含んでいてもよい。
【０１０６】
管理・制御エージェント部は、ＥＭＳ及びミドルウェア部と入出力する。ミドルウェア部は、ＮＥ管理・制御部との間で、ＮＥ管理情報及び制御情報を入出力する。ＮＥ管理・制御部は、ミドルウェア部を介さずに、ＮＥ管理情報及び制御情報をＥＭＳと直接送受信してもよいし、管理・制御エージェント部を介して、ＮＥ管理情報及び制御情報を送受信してもよい。
【０１０７】
ミドルウェア部は、機器無依存アプリ部と機器無依存ＡＰＩを介して情報を入出力する。ミドルウェア部は、機器依存ＡＰＩを介して、機器依存部のＯＡＭ部、ドライバ、ファームウェア、ハードウェア部又はハードウェア部と情報を入出力する。ミドルウェア部は、入力した情報を、そのまま又は所定の形式で出力する。例えば、ミドルウェア部は、出力先が機器無依存アプリ部の各部であれば、機器無依存ＡＰＩの各部の入力形式に情報を変換する。出力先が機器依存部のＯＡＭ部、ドライバ、ファームウェア、ハードウェア部又はハードウェア部であれば、ミドルウェア部は、それぞれに入力する形式の機器依存ＡＰＩの形式に変換してから、又は終端して所定の処理を施してから情報を出力先に送信する。
【０１０８】
ミドルウェア部は、入力の際に、それぞれの入力先に不要な入力情報は削除し、不足の情報があれば、他の機器無依存ＡＰＩや機器依存ＡＰＩを介して収集して補足することが望ましい。また、ミドルウェア部への入力の際に、ブロードキャスト又はマルチキャストして、関連するアプリ等に同報することとしてもよい。
【０１０９】
ミドルウェア部や機器依存部は単一で例示したが、それぞれ複数から構成されていてもよい。機器依存部のハードウェアに複数のプロセッサが含まれる場合、ミドルウェア部はプロセッサやハードウェアをまたいでプロセッサ間通信等を用いて入出力してもよい。機器無依存アプリ部間や機器無依存アプリ部をＤＬＬのような実行プログラムとして、単一のプロセッサ上のユーザ空間上に配置してもよいし、複数のプロセッサ上のユーザ空間上に配置してもよい。
【０１１０】
また、機器無依存アプリ部は、ＡＰＩ等の入出力ＩＦを確保した上でカーネル空間に配置してもよいし、独立にファームウェア等に入替可能なＩＦを有するミドルウェア部とともに配置してもよいし、ファームウェア等に組み込んでコンパイルし直してもよい。機器無依存アプリ部毎にユーザ空間やカーネル空間を任意の組み合わせとしてもよい。
【０１１１】
同一の機能に対応する機器無依存アプリ部を、ユーザ空間とカーネル空間の両方で実装可能としてもよい。この場合、例えば、切り替えていずれかを選択してもよいし、両方協働して処理してもよいし、一方のみで実処理を行うとしてもよい。機器依存部のソフトウェアも同様である。
【０１１２】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。ただし、実処理を行うプロセッサ又はその近傍のプロセッサの能力を軽減するためにはプロセッサ間通信によるコミュニケーションコストは増大するが、遠隔のプロセッサで処理するとしてもよい。
【０１１３】
機器無依存ＡＰＩは、追加する拡張機能部を想定してミドルウェア部に予め備えられることが望ましいが、機器依存ＡＰＩや他の機器無依存アプリ部の改変を抑制する形で、必要に応じて追加又は削除されてもよい。
【０１１４】
（アーキテクチャの第６例）
アーキテクチャの第６例は、機器依存部として準拠する標準規格又は機器製造ベンダに依存するハードウェア部及びハードウェア部と、ハードウェア部及びハードウェア部を駆動するドライバ・ファームウェア等のソフトウェア部と、機器依存部の少なくとも一部分を駆動する機器依存アプリ部とを備える。
【０１１５】
機器依存アプリ部及び機器依存部は、機器依存ＡＰＩを介して接続される。機器依存アプリ部の中に、ＥＭＳからの通信を受ける管理・制御エージェント部相当を含んでいてもよい。機器依存ＡＰＩは、機器依存アプリ部及び機器依存ＡＰＩの改変を抑制する形で、必要に応じて追加又は削除されてもよい。
【０１１６】
なお、通信装置のアーキテクチャの第１例〜第６例に示す通信装置の構成は、ＴＷＤＭ−ＰＯＮのようなＩＴＵ−Ｔ勧告準拠のＰＯＮのＯＬＴを前提に記載しているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ規格準拠のＰＯＮであってもよく、ＴＣレイヤ又はＰＭＤレイヤは対応する層に読み替えれば同様である。
【０１１７】
以下、ＴＷＤＭ−ＰＯＮが、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを主に有する場合を例に説明する。以下、ＰＯＮマルチキャスト機能と、省電力制御機能と、周波数・時刻同期機能と、プロテクション機能と、保守運用機能と、Ｌ２主信号処理機能と、ＰＯＮアクセス制御機能と、ＰＯＮ主信号処理機能とを、「主要８機能」という。
【０１１８】
図７は、通信装置及び外部サーバ１６の構成の例を示す図である。通信システムは、通信装置と、外部サーバ１６とを備える。通信装置は、送受信部１１（ＴＲｘ）と、スイッチ部１２（ＳＷ）と、スイッチ部１３（ＳＷ）と、制御部１４と、プロキシ部１５との少なくとも一部を備える。なお、通信装置は、外部サーバ１６を備え得る。
【０１１９】
図７では、異なる波長（λＡ〜λＮ）の光信号を送受信（通信）する送受信部１１が同一のスイッチ部１２に接続されている構成を示すが、実施形態１−１はこれに限定されない。例えば、異なる波長（λＡ〜λＮ）の光信号を送受信する送受信部１１が同一のスイッチ部１２に接続されている構成に加えて、同一の波長の光信号を送受信する送受信部１１が同一のスイッチ部１２に接続されていてもよいし、異なる波長（λＡ〜λＮ）の光信号を送受信する送受信部１１の内で少なくとも一部の波長の送受信部１１が複数同一のスイッチ部１２に接続されていてもよいし、送受信部１１の内の一部又は全てが送信のみ又は受信のみ行う送受信部１１であってもよい。
【０１２０】
ＯＬＴなどの通信装置は、送受信部１１から制御部１４を備えていてもよいし、これらに加えて外部サーバ１６を更に、備えてもよい。また、ＯＳＵは、送受信部１１でもよいし、これに加えてスイッチ部１２（ＳＷ）又はスイッチ部１３（ＳＷ）を備えてもよい。
【０１２１】
通信システム構成（１−１）の通信システムは、送受信部１１（ＴＲｘ）と、スイッチ部１２（ＳＷ）と、スイッチ部１３（ＳＷ）と、制御部１４と、プロキシ部１５と、外部サーバ１６とを備える（図７）。
通信装置がＯＬＴである場合、ＯＬＴは、送受信部１１（ＴＲｘ）と、スイッチ部１２（ＳＷ）と、スイッチ部１３（ＳＷ）と、制御部１４とから構成してもよいし、送受信部１１（ＴＲｘ）と、スイッチ部１２（ＳＷ）と、スイッチ部１３（ＳＷ）と、制御部１４と、外部サーバ１６とから構成してもよい。ＯＳＵは、送受信部１１（ＴＲｘ）とから構成してもよいし、送受信部１１（ＴＲｘ）と、スイッチ部１２（ＳＷ）とから構成してもよいし、送受信部１１（ＴＲｘ）と、スイッチ部１３（ＳＷ）とから構成してもよい。
【０１２２】
異なる波長（λＡ〜λＮ）の光信号を送受信する送受信部１１（ＴＲｘ）がスイッチ部１２に接続されている。送受信部１１（ＴＲｘ）は、自律制御を行い、又は、スイッチ部１２（ＳＷ）、スイッチ部１３（ＳＷ）、制御部１４、プロキシ部１５若しくは外部サーバ１６等の他の構成要素から制御され、又は、スイッチ部１２（ＳＷ）、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ（Optical Distribution Network）若しくはスイッチ部１２（ＳＷ）のトラフィックの一部又はその全てに、所定の手順に従って、ＶＬＡＮ（Virtual Local Area Network）、優先、廃棄優先若しくは宛先等の少なくとも一部又はその組み合わせのタグの追加、削除、付替をして、又は、タグの変更無で、集約、分配、振分、複製、折返若しくは透過の少なくとも一つ又はその組み合わせの処理を行う。
【０１２３】
なお、上りトラフィックに関しても集約されるとは限らない。スイッチ部１２（ＳＷ）は通信システム構成（１−１）の構成では波長毎の振分が主であるが、集約、分配、複製、折返、透過、ＶＩＤ（Virtual LAN Identifier）や優先廃棄を表すタグ等のタグ付加又はタグ付替を行ってもよい。後述する通信システム構成（１−２）の構成では、上りトラフィックは集約が主であるが、分配、振分、複製、折返、透過、タグ付加又はタグ付替を行ってもよい。下りトラフィックも集約、分配、振分、複製、折返、透過、タグ付加又はタグ付替のいずれかを行ってもよく、少なくとも一部の組み合わせを行ってもよい。そのいずれとするかはサービスポリシーに応じて決定する。これは以降の通信システム構成でも同様である。
【０１２４】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４、プロキシ部１５若しくは外部サーバ１６等の他の構成要素から制御され、又は、送受信部１１（ＴＲｘ）、スイッチ部１３（ＳＷ）、制御部１４、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、又は、タグの変更無で、集約、分配、振分、複製、折返、透過若しくはタグ付加又はタグ付替の少なくとも一部又はその組み合わせの処理を行う。これは以降の通信システム構成でも同様である。
【０１２５】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０１２６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４、プロキシ部１５若しくは外部サーバ１６等の他の構成要素から制御され、又は、送受信部１１（ＴＲｘ）、スイッチ部１２（ＳＷ）、制御部１４、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１２７】
制御部１４は、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）、プロキシ部１５若しくは外部サーバ１６等の他の構成要素を制御し、又は送受信部１１（ＴＲｘ）、スイッチ部１２（ＳＷ）、スイッチ部１３（ＳＷ）、プロキシ部１５若しくは外部サーバ１６等の他の構成要素を介して、指示を転送する。
【０１２８】
図７に示すプロキシ部１５は、ＯＬＴから若しくはＯＬＴへのデータ経路上に設置してもよい。ただし、間に他の装置（例えば、複数のＯＬＴから若しくはＯＬＴへのトラフィックに集約／分配する集線ＳＷ等）が介在する場合があるので、直接接続されるとは限らない。制御の流れとしては、送受信部１１（ＴＲｘ）、スイッチ部１２（ＳＷ）、スイッチ部１３（ＳＷ）、制御部１４、外部サーバ１６のいずれに、プロキシ部１５があってもよい。
【０１２９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは外部サーバ１６等の他の構成要素から制御され、又は、送受信部１１（ＴＲｘ）、スイッチ部１２（ＳＷ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０１３０】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくは制御部１４若しくはプロキシ部１５等の他の構成要素を制御し、又は送受信部１１（ＴＲｘ）、スイッチ部１２（ＳＷ）、スイッチ部１３（ＳＷ）若しくは制御部１４若しくはプロキシ部１５等の他の構成要素を介して指示を転送する。
【０１３１】
送受信部１１（ＴＲｘ）、スイッチ部１２（ＳＷ）、スイッチ部１３（ＳＷ）、制御部１４、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１３２】
通信システム構成（１−２）の通信システムでは、通信システム構成（１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１３３】
通信システム構成（２−１）の通信システムは、送受信部１１（ＴＲｘ）と、スイッチ部１２（ＳＷ）と、スイッチ部１３（ＳＷ）と、制御部１４と、プロキシ部１５とを備える（図７）。異なる波長（λＡ〜λＮ）の光信号を送受信する送受信部１１（ＴＲｘ）がスイッチ部１２に接続されている。
【０１３４】
送受信部１１（ＴＲｘ）は、自律制御を行い、又は、スイッチ部１２（ＳＷ）、スイッチ部１３（ＳＷ）、制御部１４若しくはプロキシ部１５等の他の構成要素から制御され、又は、スイッチ部１２（ＳＷ）、スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１３５】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくはプロキシ部１５等の他の構成要素から制御され、又は、送受信部１１（ＴＲｘ）、スイッチ部１３（ＳＷ）、制御部１４、プロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくはタグの変更無で、集約、分配、振分、複製、折返若しくは透過の少なくとも一部又はその組み合わせの処理を行う。
【０１３６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくはプロキシ部１５等の他の構成要素から制御され、又は、送受信部１１（ＴＲｘ）、スイッチ部１２（ＳＷ）、制御部１４若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１３７】
制御部１４は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）、プロキシ部１５若しくは等の他の構成要素を介して指示を転送する。
【０１３８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）、制御部１４若しくは等の他の構成要素から制御され、又は、送受信部１１（ＴＲｘ）、スイッチ部１２（ＳＷ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１３９】
送受信部１１（ＴＲｘ）、スイッチ部１２（ＳＷ）、スイッチ部１３（ＳＷ）、制御部１４、プロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０１４０】
通信システム構成（２−２）の通信システムでは、通信システム構成（２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１４１】
通信システム構成（３−１）の通信システムは、送受信部１１（ＴＲｘ）と、スイッチ部１２（ＳＷ）と、スイッチ部１３（ＳＷ）と、制御部１４と、外部サーバ１６とを備える（図７）。異なる波長（λＡ〜λＮ）の光信号を送受信する送受信部１１（ＴＲｘ）がスイッチ部１２に接続されている。
【０１４２】
送受信部１１（ＴＲｘ）は、自律制御を行い、又は、スイッチ部１２（ＳＷ）、スイッチ部１３（ＳＷ）、制御部１４若しくは外部サーバ１６等の他の構成要素から制御され、又は、スイッチ部１２（ＳＷ）、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１４３】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１４４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。スイッチ部１３（ＳＷ）は、スイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１４５】
制御部１４は、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、スイッチ部１３（ＳＷ）若しくは外部サーバ１６等の他の構成要素を制御し、又は送受信部１１（ＴＲｘ）、スイッチ部１２（ＳＷ）、スイッチ部１３（ＳＷ）若しくは外部サーバ１６等の他の構成要素を介して指示を転送する。
【０１４６】
外部サーバ１６は、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、送受信部１１（ＴＲｘ）、スイッチ部１２（ＳＷ）、スイッチ部１３（ＳＷ）若しくは制御部１４等の他の構成要素を制御し、又は送受信部１１（ＴＲｘ）、スイッチ部１２（ＳＷ）、スイッチ部１３（ＳＷ）若しくは制御部１４等の他の構成要素を介して指示を転送する。
【０１４７】
送受信部１１（ＴＲｘ）、スイッチ部１２（ＳＷ）、スイッチ部１３（ＳＷ）、制御部１４若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０１４８】
通信システム構成（３−２）の通信システムでは、通信システム構成（３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１４９】
通信システム構成（４−１）の通信システムは、送受信部１１（ＴＲｘ）と、スイッチ部１２（ＳＷ）と、スイッチ部１３（ＳＷ）と、プロキシ部１５と、外部サーバ１６とを備える（図７）。異なる波長（λＡ〜λＮ）の光信号を送受信する送受信部１１（ＴＲｘ）がスイッチ部１２に接続されている。
【０１５０】
送受信部１１（ＴＲｘ）は、自律制御を行い、又は、スイッチ部１２（ＳＷ）、スイッチ部１３（ＳＷ）、プロキシ部１５若しくは外部サーバ１６等の他の構成要素から制御され、又は、スイッチ部１２（ＳＷ）、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１５１】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）、プロキシ部１５若しくは外部サーバ１６等の他の構成要素から制御され、又は、送受信部１１（ＴＲｘ）、スイッチ部１３（ＳＷ）、プロキシ部１５若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５２】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）、プロキシ部１５若しくは外部サーバ１６等の他の構成要素から制御され、又は、送受信部１１（ＴＲｘ）、スイッチ部１２（ＳＷ）、プロキシ部１５若しくは外部サーバ１６等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５３】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、スイッチ部１３（ＳＷ）若しくは外部サーバ１６等の他の構成要素から制御され、又は、送受信部１１（ＴＲｘ）、スイッチ部１２（ＳＷ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１５４】
外部サーバ１６は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくはプロキシ部１５等の他の構成要素を制御し、又は送受信部１１（ＴＲｘ）、スイッチ部１２（ＳＷ）、スイッチ部１３（ＳＷ）若しくはプロキシ部１５等の他の構成要素を介して指示を転送する。
【０１５５】
送受信部１１（ＴＲｘ）、スイッチ部１２（ＳＷ）、スイッチ部１３（ＳＷ）、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１５６】
通信システム構成（４−２）の通信システムでは、通信システム構成（４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１５７】
通信システム構成（５−１）の通信システムは、送受信部１１（ＴＲｘ）と、スイッチ部１２（ＳＷ）と、制御部１４と、プロキシ部１５と、外部サーバ１６とを備える（図７）。異なる波長（λＡ〜λＮ）の光信号を送受信する送受信部１１（ＴＲｘ）がスイッチ部１２（ＳＷ）に接続されている。
【０１５８】
送受信部１１（ＴＲｘ）は、自律制御を行い、又は、スイッチ部１２（ＳＷ）、制御部１４、プロキシ部１５若しくは外部サーバ１６等の他の構成要素から制御され、又は、スイッチ部１２（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１５９】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６０】
制御部１４は、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、プロキシ部１５若しくは外部サーバ１６等の他の構成要素を制御し、又は送受信部１１（ＴＲｘ）、スイッチ部１２（ＳＷ）、プロキシ部１５若しくは外部サーバ１６等の他の構成要素を介して指示を転送する。
【０１６１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）、制御部１４若しくは外部サーバ１６等の他の構成要素から制御され、又は、送受信部１１（ＴＲｘ）、スイッチ部１２（ＳＷ）、制御部１４若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６２】
外部サーバ１６は、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）、制御部１４若しくはプロキシ部１５等の他の構成要素を制御し、又は送受信部１１（ＴＲｘ）、スイッチ部１２（ＳＷ）、制御部１４若しくはプロキシ部１５等の他の構成要素を介して指示を転送する。
【０１６３】
送受信部１１（ＴＲｘ）、スイッチ部１２（ＳＷ）、制御部１４、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０１６４】
通信システム構成（５−２）の通信システムでは、通信システム構成（５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１６５】
通信システム構成（６−１）の通信システムは、送受信部１１（ＴＲｘ）と、スイッチ部１３（ＳＷ）と、制御部１４と、プロキシ部１５と、外部サーバ１６とを備える（図７）。異なる波長（λＡ〜λＮ）の光信号を送受信する送受信部１１（ＴＲｘ）がスイッチ部１３（ＳＷ）に接続されている。
【０１６６】
送受信部１１（ＴＲｘ）は、自律制御を行い、又は、スイッチ部１３（ＳＷ）、制御部１４、プロキシ部１５若しくは外部サーバ１６等の他の構成要素から制御され、又は、スイッチ部１３（ＳＷ）、制御部１４、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１６７】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４、プロキシ部１５若しくは外部サーバ１６等の他の構成要素から制御され、又は、送受信部１１（ＴＲｘ）、制御部１４、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１６８】
制御部１４は、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）、プロキシ部１５若しくは外部サーバ１６等の他の構成要素を制御し、又は送受信部１１（ＴＲｘ）、スイッチ部１３（ＳＷ）、プロキシ部１５若しくは外部サーバ１６等の他の構成要素を介して指示を転送する。
【０１６９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）、制御部１４若しくは外部サーバ１６等の他の構成要素から制御され、又は、送受信部１１（ＴＲｘ）、スイッチ部１３（ＳＷ）、制御部１４若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７０】
外部サーバ１６は、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１３（ＳＷ）、制御部１４若しくはプロキシ部１５等の他の構成要素を制御し、又は送受信部１１（ＴＲｘ）、スイッチ部１３（ＳＷ）、制御部１４若しくはプロキシ部１５等の他の構成要素を介して指示を転送する。
【０１７１】
送受信部１１（ＴＲｘ）、スイッチ部１３（ＳＷ）、制御部１４、プロキシ部１５又は外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１７２】
通信システム構成（６−２）の通信システムでは、通信システム構成（６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０１７３】
通信システム構成（７−１）の通信システムは、送受信部１１（ＴＲｘ）と、スイッチ部１２（ＳＷ）と、スイッチ部１３（ＳＷ）と、制御部１４とを備える（図７）。異なる波長（λＡ〜λＮ）の光信号を送受信する送受信部１１（ＴＲｘ）がスイッチ部１２に接続されている。
【０１７４】
送受信部１１（ＴＲｘ）は、自律制御を行い、又は、スイッチ部１２（ＳＷ）、スイッチ部１３（ＳＷ）若しくは制御部１４等の他の構成要素から制御され、又は、スイッチ部１２（ＳＷ）、スイッチ部１３（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１７５】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックを集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１７７】
制御部１４は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０１７８】
送受信部１１（ＴＲｘ）、スイッチ部１２（ＳＷ）、スイッチ部１３（ＳＷ）若しくは制御部１４は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０１７９】
通信システム構成（７−２）の通信システムでは、通信システム構成（７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１８０】
通信システム構成（８−１）の通信システムは、送受信部１１（ＴＲｘ）と、スイッチ部１２（ＳＷ）と、スイッチ部１３（ＳＷ）と、プロキシ部１５とを備える（図７）。異なる波長（λＡ〜λＮ）の光信号を送受信する送受信部１１（ＴＲｘ）が、スイッチ部１２に接続される。
【０１８１】
送受信部１１（ＴＲｘ）は、自律制御を行い、又は、スイッチ部１２（ＳＷ）、スイッチ部１３（ＳＷ）若しくはプロキシ部１５等の他の構成要素から制御され、又は、スイッチ部１２（ＳＷ）、スイッチ部１３（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１８２】
スイッチ部１２（ＳＷ）は、スイッチ部１３（ＳＷ）に接続される。スイッチ部１２（ＳＷ）は自律制御を行い、又は、送受信部１１（ＴＲｘ）、スイッチ部１３（ＳＷ）若しくはプロキシ部１５等の他の構成要素から制御され、又は、送受信部１１（ＴＲｘ）、スイッチ部１３（ＳＷ）若しくはプロキシ部１５等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８３】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくはプロキシ部１５等の他の構成要素から制御され、又は、送受信部１１（ＴＲｘ）、スイッチ部１２（ＳＷ）若しくはプロキシ部１５等の他の構成要素を介して転送された指示で制御される。スイッチ部１３（ＳＷ）は、スイッチ部１２（ＳＷ）若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８４】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくはスイッチ部１３（ＳＷ）等の他の構成要素から制御され、又は、送受信部１１（ＴＲｘ）、スイッチ部１２（ＳＷ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１８５】
送受信部１１（ＴＲｘ）、スイッチ部１２（ＳＷ）、スイッチ部１３（ＳＷ）若しくはプロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０１８６】
通信システム構成（８−２）の通信システムでは、通信システム構成（８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１８７】
通信システム構成（９−１）の通信システムは、送受信部１１（ＴＲｘ）と、スイッチ部１２（ＳＷ）と、制御部１４と、プロキシ部１５とを備える（図７）。異なる波長（λＡ〜λＮ）の光信号を送受信する送受信部１１（ＴＲｘ）がスイッチ部１２に接続されている。
【０１８８】
送受信部１１（ＴＲｘ）は、自律制御を行い、又は、スイッチ部１２（ＳＷ）、制御部１４若しくはプロキシ部１５等の他の構成要素から制御され、又は、スイッチ部１２（ＳＷ）、制御部１４若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１８９】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９０】
制御部１４は、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０１９１】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１２（ＳＷ）若しくは制御部１４等の他の構成要から制御され、又は、送受信部１１（ＴＲｘ）、スイッチ部１２（ＳＷ）若しくは制御部１４等の他の構成要を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９２】
送受信部１１（ＴＲｘ）、スイッチ部１２（ＳＷ）、制御部１４若しくはプロキシ部１５は、送受信部１１（ＴＲｘ）、スイッチ部１２（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に、送信してもよい。
【０１９３】
通信システム構成（９−２）の通信システムでは、通信システム構成（９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１９４】
通信システム構成（１０−１）の通信システムは、送受信部１１（ＴＲｘ）と、スイッチ部１３（ＳＷ）と、制御部１４と、プロキシ部１５とを備える（図７）。異なる波長（λＡ〜λＮ）の光信号を送受信する送受信部１１（ＴＲｘ）がスイッチ部１３（ＳＷ）に接続されている。
【０１９５】
送受信部１１（ＴＲｘ）は、自律制御を行い、又は、スイッチ部１３（ＳＷ）、制御部１４、プロキシ部１５等の他の構成要素から制御され、又は。スイッチ部１３（ＳＷ）、制御部１４若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０１９６】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくはプロキシ部１５等の他の構成要素から制御され、又は、送受信部１１（ＴＲｘ）、制御部１４若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９７】
制御部１４は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０１９８】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、スイッチ部１３（ＳＷ）若しくは制御部１４等の他の構成要素から制御され、又は、送受信部１１（ＴＲｘ）、スイッチ部１３（ＳＷ）若しくは制御部１４等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０１９９】
送受信部１１（ＴＲｘ）、スイッチ部１３（ＳＷ）、制御部１４若しくはプロキシ部１５は、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２００】
通信システム構成（１０−２）の通信システムでは、通信システム構成（１０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２０１】
通信システム構成（１１−１）の通信システムは、送受信部１１（ＴＲｘ）と、スイッチ部１２（ＳＷ）と、スイッチ部１３（ＳＷ）と、外部サーバ１６とを備える（図７）。異なる波長（λＡ〜λＮ）の光信号を送受信する送受信部１１（ＴＲｘ）がスイッチ部１２に接続されている。
【０２０２】
送受信部１１（ＴＲｘ）は、自律制御を行い、又は、スイッチ部１２（ＳＷ）、スイッチ部１３（ＳＷ）若しくは外部サーバ１６等の他の構成要素から制御され、又は、スイッチ部１２（ＳＷ）、スイッチ部１３（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２０３】
スイッチ部１２（ＳＷ）は、スイッチ部１３（ＳＷ）に接続される。スイッチ部１２（ＳＷ）は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０４】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。スイッチ部１３（ＳＷ）は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２０５】
外部サーバ１６は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはスイッチ部１３（ＳＷ）等の他の構成要素を制御し、又は送受信部１１（ＴＲｘ）、スイッチ部１２（ＳＷ）若しくはスイッチ部１３（ＳＷ）等の他の構成要素を介して指示を転送する。
【０２０６】
送受信部１１（ＴＲｘ）、スイッチ部１２（ＳＷ）、スイッチ部１３（ＳＷ）若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２０７】
通信システム構成（１１−２）の通信システムでは、通信システム構成（１１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２０８】
通信システム構成（１２−１）の通信システムは、送受信部１１（ＴＲｘ）と、スイッチ部１２（ＳＷ）と、制御部１４と、外部サーバ１６とを備える（図７）。異なる波長（λＡ〜λＮ）の光信号を送受信する送受信部１１（ＴＲｘ）がスイッチ部１２に接続されている。
【０２０９】
送受信部１１（ＴＲｘ）は、自律制御を行い、又は、スイッチ部１２（ＳＷ）、制御部１４若しくは外部サーバ１６等の他の構成要素から制御され、又は、スイッチ部１２（ＳＷ）、制御部１４若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２１０】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１１】
制御部１４は、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）若しくは外部サーバ１６等の他の構成要素を制御し、又は送受信部１１（ＴＲｘ）、スイッチ部１２（ＳＷ）若しくは外部サーバ１６等の他の構成要素を介して指示を転送する。
【０２１２】
外部サーバ１６は、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）若しくは制御部１４等の他の構成要を制御し、又は送受信部１１（ＴＲｘ）、スイッチ部１２（ＳＷ）若しくは制御部１４等の他の構成要を介して指示を転送する。
【０２１３】
送受信部１１（ＴＲｘ）、スイッチ部１２（ＳＷ）、制御部１４若しくは外部サーバ１６は、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２１４】
通信システム構成（１２−２）の通信システムでは、通信システム構成（１２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２１５】
通信システム構成（１３−１）の通信システムは、送受信部１１（ＴＲｘ）と、スイッチ部１３（ＳＷ）と、制御部１４と、外部サーバ１６とを備える（図７）。異なる波長（λＡ〜λＮ）の光信号を送受信する送受信部１１（ＴＲｘ）がスイッチ部１３（ＳＷ）に接続されている。
【０２１６】
送受信部１１（ＴＲｘ）は、自律制御を行い、又は、スイッチ部１３（ＳＷ）、制御部１４若しくは外部サーバ１６等の他の構成要素から制御され、又は、スイッチ部１３（ＳＷ）、制御部１４若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２１７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２１８】
制御部１４は、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）若しくは外部サーバ１６等の他の構成要素を制御し、又は送受信部１１（ＴＲｘ）、スイッチ部１３（ＳＷ）若しくは外部サーバ１６等の他の構成要素を介して指示を転送する。
【０２１９】
外部サーバ１６は、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくは制御部１４等の他の構成要素を制御し、又は送受信部１１（ＴＲｘ）、スイッチ部１３（ＳＷ）若しくは制御部１４等の他の構成要素を介して指示を転送する。
【０２２０】
送受信部１１（ＴＲｘ）、スイッチ部１３（ＳＷ）、制御部１４若しくは外部サーバ１６は、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２２１】
通信システム構成（１３−２）の通信システムでは、通信システム構成（１３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２２２】
通信システム構成（１４−１）の通信システムは、送受信部１１（ＴＲｘ）と、スイッチ部１２（ＳＷ）と、プロキシ部１５と、外部サーバ１６とを備える（図７）。異なる波長（λＡ〜λＮ）の光信号を送受信する送受信部１１（ＴＲｘ）がスイッチ部１２に接続されている。
【０２２３】
送受信部１１（ＴＲｘ）は、自律制御を行い、又は、スイッチ部１２（ＳＷ）、プロキシ部１５若しくは外部サーバ１６等の他の構成要素から制御され、又は、スイッチ部１２（ＳＷ）、プロキシ部１５若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２２４】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２２５】
プロキシ部１５は、自律制御を行い、又は、送受信部１１（ＴＲｘ）、スイッチ部１２（ＳＷ）若しくは外部サーバ１６等の他の構成要素から制御され、又は、送受信部１１（ＴＲｘ）、スイッチ部１２（ＳＷ）若しくは外部サーバ１６等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２２６】
外部サーバ１６は、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはプロキシ部１５等の他の構成要素を制御し、又は送受信部１１（ＴＲｘ）、スイッチ部１２（ＳＷ）若しくはプロキシ部１５等の他の構成要素を介して指示を転送する。
【０２２７】
送受信部１１（ＴＲｘ）、スイッチ部１２（ＳＷ）、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０２２８】
通信システム構成（１４−２）の通信システムでは、通信システム構成（１４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２２９】
通信システム構成（１５−１）の通信システムは、送受信部１１（ＴＲｘ）と、スイッチ部１３（ＳＷ）と、プロキシ部１５と、外部サーバ１６とを備える（図７）。異なる波長（λＡ〜λＮ）の光信号を送受信する送受信部１１（ＴＲｘ）がスイッチ部１３（ＳＷ）に接続されている。
【０２３０】
送受信部１１（ＴＲｘ）は、自律制御を行い、又は、スイッチ部１３（ＳＷ）、プロキシ部１５若しくは外部サーバ１６等の他の構成要素から制御され、又は、スイッチ部１３（ＳＷ）、プロキシ部１５若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２３１】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）、プロキシ部１５若しくは外部サーバ１６等の他の構成要素から制御され、又は、送受信部１１（ＴＲｘ）、プロキシ部１５若しくは外部サーバ１６等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３２】
プロキシ部１５は、自律制御を行い、又は、送受信部１１（ＴＲｘ）、スイッチ部１３（ＳＷ）若しくは外部サーバ１６等の他の構成要素から制御され、又は、送受信部１１（ＴＲｘ）、スイッチ部１３（ＳＷ）若しくは外部サーバ１６等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２３３】
外部サーバ１６は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくはプロキシ部１５等の他の構成要素を制御し、又は送受信部１１（ＴＲｘ）、スイッチ部１３（ＳＷ）若しくはプロキシ部１５等の他の構成要素を介して指示を転送する。
【０２３４】
送受信部１１（ＴＲｘ）、スイッチ部１３（ＳＷ）、プロキシ部１５若しくは外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２３５】
通信システム構成（１５−２）の通信システムでは、通信システム構成（１５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２３６】
通信システム構成（１６−１）の通信システムは、送受信部１１（ＴＲｘ）と、制御部１４と、プロキシ部１５と、外部サーバ１６とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２３７】
送受信部１１（ＴＲｘ）は、自律制御を行い、又は、制御部１４、プロキシ部１５若しくは外部サーバ１６等の他の構成要素から制御され、又は、制御部１４、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２３８】
制御部１４は、送受信部１１（ＴＲｘ）、プロキシ部１５、外部サーバ１６、外部のオペレーションシステム（不図示）、コントローラ（不図示）又は外部の装置（不図示）と接続される。制御部１４は、送受信部１１（ＴＲｘ）、プロキシ部１５若しくは外部サーバ１６等の他の構成要素を制御し、又は送受信部１１（ＴＲｘ）、プロキシ部１５若しくは外部サーバ１６等の他の構成要素を介して指示を転送する。
【０２３９】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）、制御部１４若しくは外部サーバ１６等の他の構成要素から制御され、又は、送受信部１１（ＴＲｘ）、制御部１４若しくは外部サーバ１６等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４０】
外部サーバ１６は、送受信部１１（ＴＲｘ）、制御部１４、プロキシ部１５、外部のオペレーションシステム（不図示）、コントローラ（不図示）又は外部の装置（不図示）と接続される。外部サーバ１６は、送受信部１１（ＴＲｘ）、制御部１４若しくはプロキシ部１５等の他の構成要素を制御し、又は送受信部１１（ＴＲｘ）、制御部１４若しくはプロキシ部１５等の他の構成要素を介して指示を転送する。
【０２４１】
送受信部１１（ＴＲｘ）、制御部１４、プロキシ部１５若しくは外部サーバ１６は、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０２４２】
通信システム構成（１６−２）の通信システムでは、通信システム構成（１６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２４３】
通信システム構成（１７−１）の通信システムは、送受信部１１（ＴＲｘ）と、スイッチ部１２（ＳＷ）と、スイッチ部１３（ＳＷ）とを備える（図７）。異なる波長（λＡ〜λＮ）の光信号を送受信する送受信部１１（ＴＲｘ）がスイッチ部１２に接続されている。
【０２４４】
送受信部１１（ＴＲｘ）は、自律制御を行い、又は、スイッチ部１２（ＳＷ）若しくはスイッチ部１３（ＳＷ）等の他の構成要素から制御され、又は、スイッチ部１２（ＳＷ）若しくはスイッチ部１３（ＳＷ）等の他の構成要素を介して転送された指示で制御される。プロキシ部１５は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２４５】
スイッチ部１２（ＳＷ）は、スイッチ部１３（ＳＷ）に接続される。スイッチ部１２（ＳＷ）は、自律制御を行い、又は、送受信部１１（ＴＲｘ）若しくはスイッチ部１３（ＳＷ）等の他の構成要素から制御され、又は、送受信部１１（ＴＲｘ）若しくはスイッチ部１３（ＳＷ）等の他の構成要素を介して転送された指示で制御される。スイッチ部１２（ＳＷ）は、送受信部１１（ＴＲｘ）若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４６】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。スイッチ部１３（ＳＷ）は、スイッチ部１２（ＳＷ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２４７】
送受信部１１（ＴＲｘ）、スイッチ部１２（ＳＷ）若しくはスイッチ部１３（ＳＷ）は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０２４８】
通信システム構成（１７−２）の通信システムでは、通信システム構成（１７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２４９】
通信システム構成（１８−１）の通信システムは、送受信部１１（ＴＲｘ）と、スイッチ部１２（ＳＷ）と、制御部１４とを備える（図７）。異なる波長（λＡ〜λＮ）の光信号を送受信する送受信部１１（ＴＲｘ）がスイッチ部１２に接続されている。
【０２５０】
送受信部１１（ＴＲｘ）は、自律制御を行い、又は、スイッチ部１２（ＳＷ）若しくは制御部１４等の他の構成要素から制御され、又は、スイッチ部１２（ＳＷ）若しくは制御部１４等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２５１】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１２（ＳＷ）は、送受信部１１（ＴＲｘ）及びプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５２】
制御部１４は、送受信部１１（ＴＲｘ）、スイッチ部１２（ＳＷ）、外部のオペレーションシステム（不図示）、コントローラ（不図示）又は外部の装置（不図示）と接続される。制御部１４は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０２５３】
送受信部１１（ＴＲｘ）、スイッチ部１２（ＳＷ）若しくは制御部１４は、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０２５４】
通信システム構成（１８−２）の通信システムでは、通信システム構成（１８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２５５】
通信システム構成（１９−１）の通信システムは、送受信部１１（ＴＲｘ）と、スイッチ部１３（ＳＷ）と、制御部１４とを備える（図７）。異なる波長（λＡ〜λＮ）の光信号を送受信する送受信部１１（ＴＲｘ）がスイッチ部１３（ＳＷ）に接続されている。
【０２５６】
送受信部１１（ＴＲｘ）は、自律制御を行い、又は、スイッチ部１３（ＳＷ）若しくは制御部１４等の他の構成要素から制御され、又は、スイッチ部１３（ＳＷ）若しくは制御部１４等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２５７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは制御部１４等の他の構成要素から制御され、又は、送受信部１１（ＴＲｘ）若しくは制御部１４等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２５８】
制御部１４は、送受信部１１（ＴＲｘ）、スイッチ部１３（ＳＷ）、外部のオペレーションシステム（不図示）、コントローラ（不図示）又は外部の装置（不図示）と接続される。制御部１４は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０２５９】
送受信部１１（ＴＲｘ）、スイッチ部１３（ＳＷ）若しくは制御部１４は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０２６０】
通信システム構成（１９−２）の通信システムでは、通信システム構成（１９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２６１】
通信システム構成（２０−１）の通信システムは、送受信部１１（ＴＲｘ）と、スイッチ部１２（ＳＷ）と、プロキシ部１５とを備える（図７）。異なる波長（λＡ〜λＮ）の光信号を送受信する送受信部１１（ＴＲｘ）がスイッチ部１２に接続されている。
【０２６２】
送受信部１１（ＴＲｘ）は、自律制御を行い、又は、スイッチ部１２（ＳＷ）若しくはプロキシ部１５等の他の構成要素から制御され、又は、スイッチ部１２（ＳＷ）若しくはプロキシ部１５等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６３】
スイッチ部１２（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１２（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６４】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１２（ＳＷ）等の他の構成要素から制御され、又は、送受信部１１（ＴＲｘ）若しくはスイッチ部１２（ＳＷ）等の他の構成要素を介して転送された指示で制御される。プロキシ部１５は、スイッチ部１２（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２６５】
送受信部１１（ＴＲｘ）、スイッチ部１２（ＳＷ）若しくはプロキシ部１５は、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０２６６】
通信システム構成（２０−２）の通信システムでは、通信システム構成（２０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２６７】
通信システム構成（２１−１）の通信システムは、送受信部１１（ＴＲｘ）と、スイッチ部１３（ＳＷ）と、プロキシ部１５とを備える（図７）。異なる波長（λＡ〜λＮ）の光信号を送受信する送受信部１１（ＴＲｘ）がスイッチ部１３（ＳＷ）に接続されている。
【０２６８】
送受信部１１（ＴＲｘ）は、自律制御を行い、又は、スイッチ部１３（ＳＷ）若しくはプロキシ部１５等の他の構成要素から制御され、又は、スイッチ部１３（ＳＷ）若しくはプロキシ部１５等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２６９】
スイッチ部１３（ＳＷ）は、プロキシ部１５に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくはプロキシ部１５等の他の構成要素から制御され、又は、送受信部１１（ＴＲｘ）若しくはプロキシ部１５等の他の構成要素を介して転送された指示で制御される。スイッチ部１３（ＳＷ）は、送受信部１１（ＴＲｘ）又はプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７０】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくはスイッチ部１３（ＳＷ）等の他の構成要素から制御され、又は送受信部１１（ＴＲｘ）若しくはスイッチ部１３（ＳＷ）等の他の構成要素を介して転送された指示で制御される。プロキシ部１５は、スイッチ部１３（ＳＷ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７１】
送受信部１１（ＴＲｘ）、スイッチ部１３（ＳＷ）若しくはプロキシ部１５は、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２７２】
通信システム構成（２１−２）の通信システムでは、通信システム構成（２１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２７３】
通信システム構成（２２−１）の通信システムは、送受信部１１（ＴＲｘ）と、制御部１４と、プロキシ部１５とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２７４】
送受信部１１（ＴＲｘ）は、自律制御を行い、又は、制御部１４若しくはプロキシ部１５等の他の構成要素から制御され、又は、制御部１４若しくはプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２７５】
制御部１４は、送受信部１１（ＴＲｘ）、プロキシ部１５、外部のオペレーションシステム（不図示）、コントローラ（不図示）又は外部の装置（不図示）と接続される。制御部１４は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０２７６】
プロキシ部１５は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。プロキシ部１５は、自律制御を行い、又は、送受信部１１（ＴＲｘ）若しくは制御部１４等の他の構成要素から制御され、又は送受信部１１（ＴＲｘ）若しくは制御部１４等の他の構成要素を介して転送された指示で制御される。プロキシ部１５は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２７７】
送受信部１１（ＴＲｘ）、制御部１４若しくはプロキシ部１５は、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）及びプロキシ部１５等の他の構成要素、外部のオペレーションシステム（不図示）、コントローラ（不図示）又は外部の装置（不図示）に送信してもよい。
【０２７８】
通信システム構成（２２−２）の通信システムでは、通信システム構成（２２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２７９】
通信システム構成（２３−１）の通信システムは、送受信部１１（ＴＲｘ）と、スイッチ部１２（ＳＷ）と、外部サーバ１６とを備える（図７）。異なる波長（λＡ〜λＮ）の光信号を送受信する送受信部１１（ＴＲｘ）がスイッチ部１２に接続されている。
【０２８０】
送受信部１１（ＴＲｘ）は、自律制御を行い、又は、スイッチ部１２（ＳＷ）若しくは外部サーバ１６等の他の構成要素から制御され、又は、スイッチ部１２（ＳＷ）若しくは外部サーバ１６等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８１】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８２】
外部サーバ１６は、送受信部１１（ＴＲｘ）、スイッチ部１２（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１２（ＳＷ）等の他の構成要素を制御し、又は送受信部１１（ＴＲｘ）若しくはスイッチ部１２（ＳＷ）等の他の構成要素を介して指示を転送する。
【０２８３】
送受信部１１（ＴＲｘ）、スイッチ部１２（ＳＷ）若しくは外部サーバ１６は、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２８４】
通信システム構成（２３−２）の通信システムでは、通信システム構成（２３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８５】
通信システム構成（２４−１）の通信システムは、送受信部１１（ＴＲｘ）と、スイッチ部１３（ＳＷ）と、外部サーバ１６とを備える（図７）。異なる波長（λＡ〜λＮ）の光信号を送受信する送受信部１１（ＴＲｘ）がスイッチ部１３（ＳＷ）に接続されている。
【０２８６】
送受信部１１（ＴＲｘ）は、自律制御を行い、又は、スイッチ部１３（ＳＷ）若しくは外部サーバ１６等の他の構成要素から制御され、又は、スイッチ部１３（ＳＷ）若しくは外部サーバ１６等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２８７】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。スイッチ部１３（ＳＷ）は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０２８８】
外部サーバ１６は、送受信部１１（ＴＲｘ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１３（ＳＷ）等の他の構成要素を制御し、又は送受信部１１（ＴＲｘ）若しくはスイッチ部１３（ＳＷ）等の他の構成要素を介して指示を転送する。
【０２８９】
送受信部１１（ＴＲｘ）、スイッチ部１３（ＳＷ）若しくは外部サーバ１６は、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２９０】
通信システム構成（２４−２）の通信システムでは、通信システム構成（２４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２９１】
通信システム構成（２５−１）の通信システムは、送受信部１１（ＴＲｘ）と、制御部１４と、外部サーバ１６とを備える（図７）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２９２】
送受信部１１（ＴＲｘ）は、自律制御を行い、又は、制御部１４若しくは外部サーバ１６等の他の構成要素から制御され、又は、制御部１４若しくは外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２９３】
制御部１４は、送受信部１１（ＴＲｘ）、外部サーバ１６、外部のオペレーションシステム（不図示）、コントローラ（不図示）又は外部の装置（不図示）と接続される。制御部１４は、送受信部１１（ＴＲｘ）若しくは外部サーバ１６等の他の構成要素を制御し、又は送受信部１１（ＴＲｘ）若しくは外部サーバ１６等の他の構成要素を介して指示を転送する。
【０２９４】
外部サーバ１６は、送受信部１１（ＴＲｘ）、制御部１４、外部のオペレーションシステム（不図示）、コントローラ（不図示）又は外部の装置（不図示）と接続される。外部サーバ１６は、送受信部１１（ＴＲｘ）若しくは制御部１４等の他の構成要素を制御し、又は送受信部１１（ＴＲｘ）若しくは制御部１４等の他の構成要素を介して指示を転送する。
【０２９５】
送受信部１１（ＴＲｘ）、制御部１４若しくは外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０２９６】
通信システム構成（２５−２）の通信システムでは、通信システム構成（２５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０２９７】
通信システム構成（２６−１）の通信システムは、送受信部１１（ＴＲｘ）と、プロキシ部１５と、外部サーバ１６とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０２９８】
送受信部１１（ＴＲｘ）は、自律制御を行い、又は、プロキシ部１５若しくは外部サーバ１６等の他の構成要素から制御され、又は、プロキシ部１５若しくは外部サーバ１６等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０２９９】
プロキシ部１５は、自律制御を行い、又は、送受信部１１（ＴＲｘ）若しくは外部サーバ１６等の他の構成要素から制御され、又は、送受信部１１（ＴＲｘ）若しくは外部サーバ１６等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３００】
外部サーバ１６は、送受信部１１（ＴＲｘ）、プロキシ部１５、外部のオペレーションシステム（不図示）、コントローラ（不図示）又は外部の装置（不図示）と接続される。外部サーバ１６は、送受信部１１（ＴＲｘ）若しくはプロキシ部１５等の他の構成要素を制御し、又は送受信部１１（ＴＲｘ）若しくはプロキシ部１５等の他の構成要素を介して指示を転送する。
【０３０１】
送受信部１１（ＴＲｘ）、プロキシ部１５若しくは外部サーバ１６は、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３０２】
通信システム構成（２６−２）の通信システムでは、通信システム構成（２６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３０３】
通信システム構成（２７−１）の通信システムは、送受信部１１（ＴＲｘ）と、スイッチ部１２（ＳＷ）とを備える（図７）。異なる波長（λＡ〜λＮ）の光信号を送受信する送受信部１１（ＴＲｘ）がスイッチ部１２に接続されている。
【０３０４】
送受信部１１（ＴＲｘ）は、自律制御を行い、又は、スイッチ部１２（ＳＷ）等の他の構成要素から制御され、又は、スイッチ部１２（ＳＷ）等の他の構成要素を介して転送された指示で制御される。送受信部１１（ＴＲｘ）は、ＯＤＮ若しくはスイッチ部１２（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３０５】
スイッチ部１２（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１２（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１２（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３０６】
送受信部１１（ＴＲｘ）又はスイッチ部１２（ＳＷ）は、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０３０７】
通信システム構成（２７−２）の通信システムでは、通信システム構成（２７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３０８】
通信システム構成（２８−１）の通信システムは、送受信部１１（ＴＲｘ）と、スイッチ部１３（ＳＷ）とを備える（図７）。異なる波長（λＡ〜λＮ）の光信号を送受信する送受信部１１（ＴＲｘ）がスイッチ部１３（ＳＷ）に接続されている。
【０３０９】
送受信部１１（ＴＲｘ）は、自律制御を行い、又は、スイッチ部１３（ＳＷ）等の他の構成要素から制御され、又は、スイッチ部１３（ＳＷ）等の他の構成要素を介して転送された指示で制御される。送受信部１１（ＴＲｘ）は、ＯＤＮ若しくはスイッチ部１３（ＳＷ）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１０】
スイッチ部１３（ＳＷ）は、上位側の装置（不図示）に直接、又は集線ＳＷ等を介して接続される。この集線ＳＷは、複数のＯＬＴから若しくはＯＬＴへのトラフィックに集約、分配、振分、複製、折返若しくは透過の少なくとも一部を行う。スイッチ部１３（ＳＷ）は、自律制御を行い、又は、送受信部１１（ＴＲｘ）等の他の構成要素から制御され、又は、送受信部１１（ＴＲｘ）等の他の構成要素を介して転送された指示で制御される。スイッチ部１３（ＳＷ）は、送受信部１１（ＴＲｘ）又は上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３１１】
送受信部１１（ＴＲｘ）又はスイッチ部１３（ＳＷ）は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０３１２】
通信システム構成（２８−２）の通信システムでは、通信システム構成（２８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３１３】
通信システム構成（２９−１）の通信システムは、送受信部１１（ＴＲｘ）と、制御部１４とを備える（図７）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３１４】
送受信部１１（ＴＲｘ）は、自律制御を行い、又は、制御部１４等の他の構成要素から制御され、又は、制御部１４等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３１５】
制御部１４は、送受信部１１（ＴＲｘ）、外部のオペレーションシステム（不図示）、コントローラ（不図示）又は外部の装置（不図示）と接続される。制御部１４は、送受信部１１（ＴＲｘ）等の他の構成要素を制御し、又は送受信部１１（ＴＲｘ）等の他の構成要素を介して指示を転送する。
【０３１６】
送受信部１１（ＴＲｘ）又は制御部１４は、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の他の構成要素、外部のオペレーションシステム（不図示）、コントローラ（不図示）又は外部の装置（不図示）に送信してもよい。
【０３１７】
通信システム構成（２９−２）の通信システムでは、通信システム構成（２９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３１８】
通信システム構成（３０−１）の通信システムは、送受信部１１（ＴＲｘ）と、プロキシ部１５とを備える（図７）。異なる波長（λＡ〜λＮ）の光信号を送受信する送受信部１１（ＴＲｘ）がプロキシ部１５に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３１９】
送受信部１１（ＴＲｘ）は、自律制御を行い、又は、プロキシ部１５等の他の構成要素から制御され、又はプロキシ部１５等の他の構成要素を介して転送された指示で制御される。送受信部１１（ＴＲｘ）は、ＯＤＮ若しくはプロキシ部１５のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２０】
プロキシ部１５は、自律制御を行い、又は、送受信部１１（ＴＲｘ）等の他の構成要素から制御され、又は、送受信部１１（ＴＲｘ）等の他の構成要素を介して転送された指示で制御される。プロキシ部１５は、送受信部１１（ＴＲｘ）若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一部又はその組み合わせの処理を行う。
【０３２１】
送受信部１１（ＴＲｘ）やプロキシ部１５は、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはプロキシ部１５等の他の構成要素、外部のオペレーションシステム（不図示）、コントローラ（不図示）又は外部の装置（不図示）に送信してもよい。
【０３２２】
通信システム構成（３０−２）の通信システムでは、通信システム構成（３０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１がプロキシ部１５に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３２３】
通信システム構成（３１−１）の通信システムは、送受信部１１（ＴＲｘ）と、外部サーバ１６とを備える（図７）。異なる波長（λＡ〜λＮ）の光信号を送受信する送受信部１１（ＴＲｘ）が上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３２４】
送受信部１１（ＴＲｘ）は、自律制御を行い、又は、外部サーバ１６等の他の構成要素から制御され、又は、外部サーバ１６等の他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３２５】
外部サーバ１６は、送受信部１１（ＴＲｘ）、外部のオペレーションシステム（不図示）、コントローラ（不図示）又は外部の装置（不図示）と接続される。外部サーバ１６は、送受信部１１（ＴＲｘ）等の他の構成要素を制御し、又は送受信部１１（ＴＲｘ）の他の構成要素を介して指示を転送する。
【０３２６】
送受信部１１（ＴＲｘ）又は外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３２７】
通信システム構成（３１−２）の通信システムでは、通信システム構成（３１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３２８】
通信システム構成（３２−１）の通信システムは、送受信部１１（ＴＲｘ）を備える（図７）。異なる波長（λＡ〜λＮ）の光信号を送受信する送受信部１１（ＴＲｘ）が、上位側の装置（不図示）に直接、又は集線ＳＷ等を介して接続されている。この集線ＳＷは、複数のＯＬＴから若しくはＯＬＴへのトラフィックに集約、分配、振分、複製、折返若しくは透過の少なくとも一部を行う。
【０３２９】
送受信部１１（ＴＲｘ）は、自律制御を行い、又は、他の構成要素から制御され、又は、他の構成要素を介して転送された指示で制御される。送受信部１１（ＴＲｘ）は、ＯＤＮ若しくは上位側の装置（不図示）のトラフィックの一部又はその全てに、所定の手順に従って、ＶＬＡＮ、優先、廃棄優先若しくは宛先等の少なくとも一部又はその組み合わせのタグの追加、削除、付替をして、若しくは、タグの変更無で、集約、分配、振分、複製、折返若しくは透過の少なくとも一つ又はその組み合わせの処理を行う。
【０３３０】
送受信部１１（ＴＲｘ）は、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の構成要素の内部、外部のオペレーションシステム（不図示）、コントローラ（不図示）又は外部の装置（不図示）に送信してもよい。
【０３３１】
通信システム構成（３２−２）の通信システムでは、通信システム構成（３２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は集線ＳＷ等を介してそれぞれ接続されている。この集線ＳＷは、複数のＯＬＴから若しくはＯＬＴへのトラフィックに集約、分配、振分、複製、折返若しくは透過の少なくとも一部を行う。更に、異なる波長の送受信部１１の内の少なくとも一部の波長の送受信部１１が上位側の装置（不図示）に直接、又は集線ＳＷ等を介して複数接続されていてもよい。この集線ＳＷは、複数のＯＬＴから若しくはＯＬＴへのトラフィックに集約、分配、振分、複製、折返若しくは透過の少なくとも一部を行う。他は同様である。
【０３３２】
（第１の構成例）
ＯＬＴが送受信部１１を備え、実行部３と指示部５とを分離して機能配備する例について説明する。この場合、ＯＬＴは、送受信部１１に実行部３を備える。ＯＬＴは、送受信部１１の情報処理部や、ＣＰＵ（Central Processing Unit）等の演算処理可能な箇所に、指示部５を備える。実行部３が指示部５よりＰＯＮ側に配置されることが応答速度の観点から好ましいが、逆でもよく、同位置の別装置上でもよく、同一装置上の別ＶＭ（Virtual Machine）上でもよい。
【０３３３】
実行部３と指示部５の入出力は、内部配線、バックボード、ＯＡＭ部、主信号線、専用の配線、オペレーションシステム、コントローラ又は制御盤（Ｃｏｎｔ盤）等の経路のいずれでよい。やり取りを指示部５で直接終端して入力する場合、ＯＡＭ部又は主信号にカプセル化してもよい。やり取りをいずれかの箇所で終端して、内部配線、バックボード、ＯＡＭ部、主信号線、専用の配線、オペレーションシステム、コントローラ又は制御盤等の経路を経由して入力してもよい。ＯＡＭ部や主信号線を用いる場合、ＯＡＭ部や主信号にカプセル化することが望ましい。主信号線を通す場合はＯＳＵ又は他箇所のスイッチ部にて指示部５に振り分けることが望ましい。
なお、第１の構成例は、通信システム構成（１−１）〜（３２−２）における送受信部１１と送受信部１１に演算処理可能な箇所を備える任意の構成に適用できる。
【０３３４】
（第２の構成例）
第２の構成例では、実行部３を送受信部１１に備え、指示部５をスイッチ部１２の例えば情報処理部や、ＣＰＵ等の演算処理可能な箇所に備える。その他は第１の構成例と同様である。なお、第２の構成例は、通信システム構成（１−１）〜（３２−２）における送受信部１１とスイッチ部１２に演算処理可能な箇所を備える任意の構成に適用できる。なお、送受信部１１とスイッチ部の演算処理可能な箇所の両方に実行部３及び指示部５が備わっていてもよい。
【０３３５】
（第３の構成例）
第３の構成例では、実行部３を送受信部１１に備え、指示部５をＯＳＵの例えば情報処理部や、ＣＰＵ等の演算処理可能な箇所に備える。その他は第１の構成例と同様である。なお、第３の構成例は、通信システム構成（１−１）〜（３２−２）における送受信部１１とＯＳＵに演算処理可能な箇所を備える任意の構成に適用できる。なお、送受信部１１とＯＳＵの演算処理可能な箇所の両方に実行部３及び指示部５が備わっていてもよい。
【０３３６】
（第４の構成例）
第４の構成例では、実行部３を送受信部１１に備え、指示部５をスイッチ部１３の例えば情報処理部や、ＣＰＵ等の演算処理可能な箇所に備える。その他は第１の構成例と同様である。なお、第４の構成例は、通信システム構成（１−１）〜（３２−２）における送受信部１１とスイッチ部１３に演算処理可能な箇所を備える任意の構成に適用できる。なお、送受信部１１とスイッチ部１３の演算処理可能な箇所の両方に実行部３及び指示部５が備わっていてもよい。
【０３３７】
（第５の構成例）
第５の構成例では、実行部３を送受信部１１に備え、指示部５をＯＬＴの例えば制御部１４、情報処理部、制御盤又はＣＰＵ盤等の演算処理可能な箇所に備える。その他は第１の構成例と同様である。なお、第５の構成例は、通信システム構成（１−１）〜（３２−２）における送受信部１１とＯＬＴに演算処理可能な箇所を備える任意の構成に適用できる。なお、送受信部１１とＯＬＴの演算処理可能な箇所の両方に実行部３及び指示部５が備わっていてもよい。
【０３３８】
（第６の構成例）
第６の構成例では、実行部３を送受信部１１に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第６の構成例は、通信システム構成（１−１）〜（３２−２）におけるＯＬＴ外部に演算処理可能な箇所を備える任意の構成に適用できる。なお、送受信部１１とＯＬＴ外部の演算処理可能な箇所の両方に実行部３及び指示部５が備わっていてもよい。
【０３３９】
（第７の構成例）
第７の構成例では、実行部３を送受信部１１に備え、指示部５をＯＬＴ外部の主信号ネットワーク中の例えばプロキシ部１５等の演算処理可能な箇所に備える。その他は第１の構成例と同様である。なお、第７の構成例は、通信システム構成（１−１）〜（３２−２）における送受信部１１とＯＬＴ外部の主信号ネットワーク中に演算処理可能な箇所を備える任意の構成に適用できる。なお、送受信部１１とＯＬＴ外部の主信号ネットワーク中の演算処理可能な箇所の両方に実行部３及び指示部５が備わっていてもよい。
【０３４０】
（第８の構成例）
第８の構成例では、実行部３をスイッチ部１２に備え、指示部５を送受信部１１の例えば情報処理部や、ＣＰＵ等の演算処理可能な箇所に備える。その他は第１の構成例と同様である。なお、第８の構成例は、通信システム構成（１−１）〜（３２−２）におけるスイッチ部１２と送受信部１１に演算処理可能な箇所を備える任意の構成に適用できる。なお、スイッチ部１２と送受信部１１の演算処理可能な箇所の両方に実行部３及び指示部５が備わっていてもよい。
【０３４１】
（第９の構成例）
第９の構成例では、実行部３をスイッチ部１２に備え、指示部５をスイッチ部１２の例えば情報処理部や、ＣＰＵ等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第９の構成例は、通信システム構成（１−１）〜（３２−２）におけるスイッチ部１２とスイッチ部１２に演算処理可能な箇所を備える任意の構成に適用できる。
【０３４２】
（第１０の構成例）
第１０の構成例では、実行部３をスイッチ部１２に備え、指示部５をＯＳＵの例えば情報処理部や、ＣＰＵ等の演算処理可能な箇所に備える。その他は第１の構成例と同様である。なお、第１０の構成例は、通信システム構成（１−１）〜（３２−２）におけるスイッチ部１２とＯＳＵに演算処理可能な箇所を備える任意の構成に適用できる。なお、スイッチ部１２とＯＳＵの演算処理可能な箇所の両方に実行部３及び指示部５が備わっていてもよい。
【０３４３】
（第１１の構成例）
第１１の構成例では、実行部３をスイッチ部１２に備え、指示部５をスイッチ部１３の例えば情報処理部や、ＣＰＵ等に備える。その他は第１の構成例と同様である。なお、第１１の構成例は、通信システム構成（１−１）〜（３２−２）におけるスイッチ部１２とスイッチ部１３に演算処理可能な箇所を備える任意の構成に適用できる。なお、スイッチ部１２とＯＳＵの演算処理可能な箇所の両方に実行部３及び指示部５が備わっていてもよい。
【０３４４】
（第１２の構成例）
第１２の構成例では、実行部３をスイッチ部１２に備え、指示部５をＯＬＴの例えば制御部１４、情報処理部、制御盤又はＣＰＵ盤等の演算処理可能な箇所に備える。その他は第１の構成例と同様である。なお、第１２の構成例は、通信システム構成（１−１）〜（３２−２）におけるスイッチ部１２とＯＬＴに演算処理可能な箇所を備える任意の構成に適用できる。なお、スイッチ部１２とＯＬＴの演算処理可能な箇所の両方に実行部３及び指示部５が備わっていてもよい。
【０３４５】
（第１３の構成例）
第１３の構成例では、実行部３をスイッチ部１２に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第１３の構成例は、通信システム構成（１−１）〜（３２−２）におけるスイッチ部１２とＯＬＴ外部に演算処理可能な箇所を備える任意の構成に適用できる。なお、スイッチ部１２及びＯＬＴ外部の演算処理可能な箇所の両方に実行部３及び指示部５が備わっていてもよい。
【０３４６】
（第１４の構成例）
第１４の構成例では、実行部３をスイッチ部１２に備え、指示部５をＯＬＴ外部の主信号ネットワーク中の例えばプロキシ部１５等の演算処理が可能な箇所に備える。その他は第１の構成例と同様である。なお、第１４の構成例は、通信システム構成（１−１）〜（３２−２）におけるスイッチ部１２とＯＬＴ外部の主信号ネットワーク中に演算処理可能な箇所を備える任意の構成に適用できる。なお、スイッチ部１２とＯＬＴ外部の主信号ネットワーク中の演算処理可能な箇所の両方に実行部３及び指示部５が備わっていてもよい。
【０３４７】
（第１５の構成例）
第１５の構成例では、実行部３をＯＳＵに備え、指示部５を送受信部１１の例えば情報処理部や、ＣＰＵ等の演算処理可能な箇所に備える。その他は第１の構成例と同様である。なお、第１５の構成例は、通信システム構成（１−１）〜（３２−２）におけるＯＳＵと送受信部１１に演算処理可能な箇所を含む構成に適用できる。なお、ＯＳＵと送受信部１１の演算処理可能な箇所の両方に実行部３及び指示部５が備わっていてもよい。
【０３４８】
（第１６の構成例）
第１６の構成例では、実行部３をＯＳＵ、指示部５をスイッチ部１２の例えば情報処理部や、ＣＰＵ等の演算処理可能な箇所に備える。その他は第１の構成例と同様である。なお、第１６の構成例は、通信システム構成（１−１）〜（３２−２）におけるＯＳＵとスイッチ部１２に演算処理可能な箇所を備える任意の構成に適用できる。なお、ＯＳＵとスイッチ部１２の演算処理可能な箇所の両方に実行部３及び指示部５が備わっていてもよい。
【０３４９】
（第１７の構成例）
第１７の構成例では、実行部３をＯＳＵに備え、指示部５をＯＳＵの例えば情報処理部、ＣＰＵ等の演算処理可能な箇所に備える。実行部３が指示部５よりＰＯＮ近傍に配置されることが応答速度の観点から好ましいが、逆でもよく、同位置の別装置上でもよく、同一装置上の別ＶＭ上でもよい。その他は第１の構成例と同様である。なお、第１７の構成例は、通信システム構成（１−１）〜（３２−２）におけるＯＳＵとＯＳＵに演算処理可能な箇所を備える任意の構成に適用できる。
【０３５０】
（第１８の構成例）
第１８の構成例では、実行部３をＯＳＵに備え、指示部５をスイッチ部１３の例えば情報処理部や、ＣＰＵ等の演算処理可能な箇所に備える。その他は第１の構成例と同様である。なお、第１８の構成例は、通信システム構成（１−１）〜（３２−２）におけるＯＳＵとスイッチ部１３に演算処理可能な箇所を備える任意の構成に適用できる。なお、ＯＳＵとスイッチ部１３の演算処理可能な箇所の両方に実行部３及び指示部５が備わっていてもよい。
【０３５１】
（第１９の構成例）
第１９の構成例では、実行部３をＯＳＵに備え、指示部５をＯＬＴの例えば制御部１４、情報処理部、制御盤又はＣＰＵ盤等の演算処理可能な箇所に備える。その他は第１の構成例と同様である。なお、第１９の構成例は、通信システム構成（１−１）〜（３２−２）におけるＯＳＵとＯＬＴに演算処理可能な箇所を備える任意の構成に適用できる。なお、ＯＳＵ及びＯＬＴの演算処理可能な箇所の両方に実行部３及び指示部５が備わっていてもよい。
【０３５２】
（第２０の構成例）
第２０の構成例では、実行部３をＯＳＵに備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２０の構成例は、通信システム構成（１−１）〜（３２−２）におけるＯＳＵとＯＬＴ外部に演算処理可能な箇所を備える任意の構成に適用できる。なお、ＯＳＵとＯＬＴ外部の演算処理可能な箇所の両方に実行部３及び指示部５が備わっていてもよい。
【０３５３】
（第２１の構成例）
第２１の構成例では、実行部３をＯＳＵに備え、指示部５をＯＬＴ外部の主信号ネットワーク中の例えばプロキシ部１５等の演算処理可能な箇所に備える。その他は第１の構成例と同様である。なお、第２１の構成例は、通信システム構成（１−１）〜（３２−２）におけるＯＳＵとＯＬＴ外部の主信号ネットワーク中の演算処理可能な箇所を備える任意の構成に適用できる。なお、ＯＳＵとＯＬＴ外部の主信号ネットワーク中の演算処理可能な箇所の両方に実行部３及び指示部５が備わっていてもよい。
【０３５４】
（第２２の構成例）
第２２の構成例では、実行部３をスイッチ部１３に備え、指示部５を送受信部１１の例えば情報処理部や、ＣＰＵ等の演算処理可能な箇所に備える。その他は第１の構成例と同様である。なお、第２２の構成例は、通信システム構成（１−１）〜（３２−２）におけるスイッチ部１３と送受信部１１に演算処理可能な箇所を備える任意の構成に適用できる。なお、スイッチ部１３及び送受信部１１の演算処理可能な箇所の両方に実行部３及び指示部５が備わっていてもよい。
【０３５５】
（第２３の構成例）
第２３の構成例では、実行部３をスイッチ部１３に備え、指示部５をスイッチ部１２に備える。その他は第１の構成例と同様である。なお、第２３の構成例は、通信システム構成（１−１）〜（３２−２）におけるスイッチ部１２とスイッチ部１３を備える任意の構成に適用できる。なお、スイッチ部１３及びスイッチ部１２の演算処理可能な箇所の両方に実行部３及び指示部５が備わっていてもよい。
【０３５６】
（第２４の構成例）
第２４の構成例では、実行部３をスイッチ部１３に備え、指示部５をＯＳＵの演算処理可能な箇所に備える。ＯＳＵの演算処理可能な箇所は、例えば、情報処理部、ＣＰＵである。その他は第１の構成例と同様である。なお、第２４の構成例は、通信システム構成（１−１）〜（３２−２）におけるＯＳＵに演算処理可能な箇所とスイッチ部１３を備える任意の構成に適用できる。なお、スイッチ部１３及びＯＳＵの演算処理可能な箇所の両方に実行部３及び指示部５が備わっていてもよい。
【０３５７】
（第２５の構成例）
第２５の構成例では、実行部３をスイッチ部１３に備え、指示部５をスイッチ部１３の例えば情報処理部や、ＣＰＵ等の演算処理可能な箇所に備える。その他は第１の構成例と同様である。実行部３が指示部５よりＰＯＮ側に配置されることが応答速度の観点から好ましいが、逆でもよく、同位置の別装置上でもよく、同一装置上の別ＶＭ上でもよい。なお、第２５の構成例は、通信システム構成（１−１）〜（３２−２）におけるスイッチ部１３とスイッチ部１３に演算処理可能な箇所を備える任意の構成に適用できる。
【０３５８】
（第２６の構成例）
第２６の構成例では、実行部３をスイッチ部１３に備え、指示部５をＯＬＴの例えば制御部１４、情報処理部、制御盤又はＣＰＵ盤等の演算処理可能な箇所に備える。その他は第１の構成例と同様である。なお、第２６の構成例は、通信システム構成（１−１）〜（３２−２）におけるスイッチ部１３とＯＬＴに演算処理可能な箇所を備える任意の構成に適用できる。なお、スイッチ部１３及びＯＬＴの演算処理可能な箇所の両方に実行部３及び指示部５が備わっていてもよい。
【０３５９】
（第２７の構成例）
第２７の構成例では、実行部３をスイッチ部１３に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（３２−２）におけるスイッチ部１３とＯＬＴ外部の演算処理可能な箇所を備える任意の構成に適用できる。なお、スイッチ部１３及びＯＬＴ外部の演算処理可能な箇所の両方に実行部３及び指示部５が備わっていてもよい。
【０３６０】
（第２８の構成例）
第２８の構成例では、実行部３をスイッチ部１３に備え、指示部５をＯＬＴ外部の主信号ネットワーク中の例えばプロキシ部１５等の演算処理可能な箇所に備える。その他は第１の構成例と同様である。なお、第２８の構成例は、通信システム構成（１−１）〜（３２−２）におけるスイッチ部１３とＯＬＴ外部の主信号ネットワーク中に演算処理可能な箇所を備える任意の構成に適用できる。なお、スイッチ部１３とＯＬＴ外部の主信号ネットワーク中の演算処理可能な箇所の両方に実行部３及び指示部５が備わっていてもよい。
【０３６１】
（第２９の構成例）
第２９の構成例では、実行部３をＯＬＴの例えば制御部１４、情報処理部、制御盤又はＣＰＵ盤等に備え、指示部５を送受信部１１の情報処理部や、ＣＰＵ等の演算処理可能な箇所に備える。その他は第１の構成例と同様である。なお、第２９の構成例は、通信システム構成（１−１）〜（３２−２）におけるＯＬＴの例えば制御部１４、情報処理部、制御盤又はＣＰＵ盤等と送受信部１１に演算処理可能な箇所を備える任意の構成に適用できる。なお、ＯＬＴの例えば制御部１４、情報処理部、制御盤又はＣＰＵ盤等及び送受信部１１の演算処理可能な箇所の両方に実行部３及び指示部５が備わっていてもよい。
【０３６２】
（第３０の構成例）
第３０の構成例では、実行部３をＯＬＴの例えば制御部１４、情報処理部、制御盤又はＣＰＵ盤等に備え、指示部５をスイッチ部１２の例えば情報処理部や、ＣＰＵ等の演算処理可能な箇所に備える。その他は第１の構成例と同様である。なお、第３０の構成例は、通信システム構成（１−１）〜（３２−２）におけるＯＬＴの例えば制御部１４、情報処理部、制御盤又はＣＰＵ盤等とスイッチ部１２に演算処理可能な箇所を備える任意の構成に適用できる。なお、ＯＬＴの例えば制御部１４、情報処理部、制御盤又はＣＰＵ盤等及びスイッチ部１２の演算処理可能な箇所の両方に実行部３及び指示部５が備わっていてもよい。
【０３６３】
（第３１の構成例）
第３１の構成例では、実行部３をＯＬＴの例えば制御部１４、情報処理部、制御盤又はＣＰＵ盤等に備え、指示部５をＯＳＵの例えば情報処理部や、ＣＰＵ等の演算処理可能な箇所に備える。その他は第１の構成例と同様である。なお、第３１の構成例は、通信システム構成（１−１）〜（３２−２）におけるＯＬＴの例えば制御部１４、情報処理部、制御盤又はＣＰＵ盤等とＯＳＵに演算処理可能な箇所を備える任意の構成に適用できる。なお、ＯＬＴの例えば制御部１４、情報処理部、制御盤又はＣＰＵ盤等とＯＳＵの演算処理可能な箇所の両方に実行部３及び指示部５が備わっていてもよい。
【０３６４】
（第３２の構成例）
第３２の構成例では、実行部３をＯＬＴの例えば制御部１４、情報処理部、制御盤又はＣＰＵ盤等に備え、指示部５をスイッチ部１３の例えば情報処理部や、ＣＰＵ等の演算処理可能な箇所に備える。その他は第１の構成例と同様である。なお、第３２の構成例は、通信システム構成（１−１）〜（３２−２）におけるＯＬＴの例えば制御部１４、情報処理部、制御盤又はＣＰＵ盤等とスイッチ部１３に演算処理可能な箇所を備える任意の構成に適用できる。なお、ＯＬＴの例えば制御部１４、情報処理部、制御盤又はＣＰＵ盤等及びスイッチ部１３の演算処理可能な箇所の両方に実行部３及び指示部５が備わっていてもよい。
【０３６５】
（第３３の構成例）
第３３の構成例では、実行部３をＯＬＴの例えば制御部１４、情報処理部、制御盤又はＣＰＵ盤等に備え、指示部５をＯＬＴの例えば制御部１４、情報処理部、制御盤又はＣＰＵ盤等の演算処理可能な箇所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（３２−２）におけるＯＬＴの例えば制御部１４、情報処理部、制御盤又はＣＰＵ盤とＯＬＴに演算処理可能な箇所を備える構成に適用できる。
【０３６６】
（第３４の構成例）
第３４の構成例では、実行部３をＯＬＴの例えば制御部１４、情報処理部、制御盤又はＣＰＵ盤等に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（３２−２）におけるＯＬＴの例えば制御部１４、情報処理部、制御盤又はＣＰＵ盤等とＯＬＴ外部に演算処理可能な箇所を備える任意の構成に適用できる。なお、ＯＬＴの例えば制御部１４、情報処理部、制御盤又はＣＰＵ盤等とＯＬＴ外部の演算処理可能な箇所の両方に実行部３及び指示部５が備わっていてもよい。
【０３６７】
（第３５の構成例）
第３５の構成例では、実行部３をＯＬＴの例えば制御部１４、情報処理部、制御盤又はＣＰＵ盤等に備え、指示部５をＯＬＴ外部の主信号ネットワーク中の例えばプロキシ部１５等の演算処理可能な箇所に備える。その他は第１の構成例と同様である。なお、第３５の構成例は通信システム構成（１−１）〜（３２−２）におけるＯＬＴの例えば制御部１４、情報処理部、制御盤又はＣＰＵ盤等とＯＬＴ外部の主信号ネットワークに演算処理可能な箇所を備える任意の構成に適用できる。なお、ＯＬＴの例えば制御部１４、情報処理部、制御盤又はＣＰＵ盤等とＯＬＴ外部の主信号ネットワークの演算処理可能な箇所の両方に実行部３及び指示部５が備わっていてもよい。
【０３６８】
（第３６の構成例）
第３６の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５を送受信部１１の例えば情報処理部や、ＣＰＵ等の演算処理可能な箇所に備える。その他は第１の構成例と同様である。なお、第３６の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１の演算処理可能な箇所の両方に実行部３及び指示部５が備わっていてもよい。
【０３６９】
（第３７の構成例）
第３７の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をスイッチ部１２の例えば情報処理部や、ＣＰＵ等の演算処理可能な箇所に備える。その他は第１の構成例と同様である。なお、第３７の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２の演算処理可能な箇所の両方に実行部３及び指示部５が備わっていてもよい。
【０３７０】
（第３８の構成例）
第３８の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＳＵの例えば情報処理部や、ＣＰＵ等の演算処理可能な箇所に備える。その他は第１の構成例と同様である。なお、第３８の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＳＵの演算処理可能な箇所の両方に実行部３及び指示部５が備わっていてもよい。
【０３７１】
（第３９の構成例）
第３９の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をスイッチ部１３の例えば情報処理部や、ＣＰＵ等の演算処理可能な箇所に備える。その他は第１の構成例と同様である。なお、第３９の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３の演算処理可能な箇所の両方に実行部３及び指示部５が備わっていてもよい。
【０３７２】
（第４０の構成例）
第４０の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＬＴの例えば制御部１４、情報処理部、制御盤又はＣＰＵ盤等の演算処理可能な箇所に備える。その他は第１の構成例と同様である。なお、第４０の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＬＴの演算処理可能な箇所の両方に実行部３及び指示部５が備わっていてもよい。
【０３７３】
（第４１の構成例）
第４１の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部３が指示部５よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の演算処理可能な箇所の両方に実行部３及び指示部５が備わっていてもよい。
【０３７４】
（第４２の構成例）
第４２の構成例では、実行部３をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部５をＯＬＴ外部の主信号ネットワーク中の例えばプロキシ部１５等の演算処理可能な箇所に備える。その他は第１の構成例と同様である。なお、第４２の構成例は通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中の演算処理可能な箇所の両方に実行部３及び指示部５が備わっていてもよい。
【０３７５】
（第４３の構成例）
第４３の構成例では、実行部３をＯＬＴ外部の主信号ネットワーク中の例えばプロキシ部１５等に備え、指示部５を送受信部１１の例えば情報処理部や、ＣＰＵ等の演算処理可能な箇所に備える。その他は第１の構成例と同様である。なお、第４３の構成例は、通信システム構成（１−１）〜（３２−２）におけるＯＬＴ外部の主信号ネットワーク中の例えばプロキシ部１５等と送受信部１１の主信号ネットワーク中に演算処理可能な箇所を備える任意の構成に適用できる。なお、ＯＬＴ外部の主信号ネットワーク中の例えばプロキシ部１５等と送受信部１１の演算処理可能な箇所の両方に実行部３及び指示部５が備わっていてもよい。
【０３７６】
（第４４の構成例）
第４４の構成例では、実行部３をＯＬＴ外部の主信号ネットワーク中の例えばプロキシ部１５等に備え、指示部５をスイッチ部１２の例えば情報処理部や、ＣＰＵ等の演算処理可能な箇所に備える。その他は第１の構成例と同様である。なお、第４４の構成例は、通信システム構成（１−１）〜（３２−２）におけるＯＬＴ外部の主信号ネットワーク中の例えばプロキシ部１５等とスイッチ部１２に演算処理可能な箇所を備える任意の構成に適用できる。なお、ＯＬＴ外部の主信号ネットワーク中の例えばプロキシ部１５等とスイッチ部１２の演算処理可能な箇所の両方に実行部３及び指示部５が備わっていてもよい。
【０３７７】
（第４５の構成例）
第４５の構成例では、実行部３をＯＬＴ外部の主信号ネットワーク中の例えばプロキシ部１５等に備え、指示部５をＯＳＵの例えば情報処理部や、ＣＰＵ等の演算処理可能な箇所に備える。その他は第１の構成例と同様である。なお、第４５の構成例は、通信システム構成（１−１）〜（３２−２）におけるＯＬＴ外部の主信号ネットワーク中の例えばプロキシ部１５等とＯＳＵに演算処理可能な箇所を備える任意の構成に適用できる。なお、ＯＬＴ外部の主信号ネットワーク中の例えばプロキシ部１５等とＯＳＵの演算処理可能な箇所の両方に実行部３及び指示部５が備わっていてもよい。
【０３７８】
（第４６の構成例）
第４６の構成例では、実行部３をＯＬＴ外部の主信号ネットワーク中の例えばプロキシ部１５等に備え、指示部５をスイッチ部１３の例えば情報処理部や、ＣＰＵ等の演算処理可能な箇所に備える。その他は第１の構成例と同様である。なお、第４６の構成例は、通信システム構成（１−１）〜（３２−２）におけるＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とスイッチ部１３の演算処理可能な箇所の両方に実行部３及び指示部５が備わっていてもよい。
【０３７９】
（第４７の構成例）
第４７の構成例では、実行部３をＯＬＴ外部の主信号ネットワーク中の例えばプロキシ部１５等に備え、指示部５をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（３２−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等とＯＬＴの演算処理可能な箇所の両方に実行部３及び指示部５が備わっていてもよい。
【０３８０】
（第４８の構成例）
第４８の構成例では、実行部３をＯＬＴ外部の主信号ネットワーク中の例えばプロキシ部１５等に備え、指示部５をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第４８の構成例は、通信システム構成（１−１）〜（３２−２）におけるＯＬＴ外部の主信号ネットワーク中の例えばプロキシ部１５とＯＬＴ外部に演算処理可能な箇所を備える任意の構成に適用できる。なお、ＯＬＴ外部の主信号ネットワーク中の例えばプロキシ部１５等とＯＬＴ外部の演算処理可能な箇所の両方に実行部３及び指示部５が備わっていてもよい。
【０３８１】
（第４９の構成例）
第４９の構成例では、実行部３をＯＬＴ外部の主信号ネットワーク中の例えばプロキシ部１５等に備え、指示部５をＯＬＴ外部の主信号ネットワーク中の例えばプロキシ部１５等の演算処理可能な個所に備える。実行部３が指示部５よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の構成例は通信システム構成（１−１）〜（３２−２）におけるＯＬＴ外部の主信号ネットワーク中の例えばプロキシ部１５等とＯＬＴ外部の主信号ネットワーク中に演算処理可能な箇所を備える任意の構成に適用できる。
【０３８２】
なお、第１の構成例から第４９の構成例において、指示部５の設定又はアルゴリズムを変更するためのＩＦを備え、指示部５のソフトウェアを変更できるとしてもよい。また、第１の構成例から第４９の構成例において、指示部５は装置の構成要素で、演算処理が可能な一か所の構成要素上に配置したが、演算処理が可能な複数の構成要素装置上、例えば複数の情報処理部での処理により実現してもよい。
【０３８３】
図８に係る光アクセスシステムでは、ＩＴＵ−Ｔ  Ｇ．９８９シリーズに準拠する。図において、コントローラと外部装置はＯＬＴに含まれないが、ＦＡＳＡアプリケーションＡＰＩとの通信を例示するために記載する。論理モデルは、ＦＡＳＡアプリケーションと、ＦＡＳＡアプリケーションにＦＡＳＡアプリケーションＡＰＩを提供するＦＡＳＡ基盤とから構成される。ＦＡＳＡ基盤はＦＡＳＡアプリケーション用ミドルウェアを含む。ＦＡＳＡアプリケーションＡＰＩ用ミドルウェアは、ＦＡＳＡ基盤を構成するハードウェアやソフトウェアのベンダや方式の違いを吸収する。ＦＡＳＡアプリケーションＡＰＩ用ミドルウェア上にベンダや方式に依存しないＦＡＳＡアプリケーションＡＰＩセットを規定し、ＦＡＳＡアプリケーションの入替により、サービス毎あるいは通信事業者毎に必要な機能を実現する。ＦＡＳＡアプリケーション間の通信やコントローラ等による設定管理はＦＡＳＡアプリケーションＡＰＩ用ミドルウェアを介して行う。なお、ＦＡＳＡアプリケーションＡＰＩ用ミドルウェアを介さないこともありうる。
【０３８４】
ＦＡＳＡアプリケーションＡＰＩセットは、ＦＡＳＡアプリケーションで利用する共通のＡＰＩ群であり、ＦＡＳＡアプリケーション毎に必要なＡＰＩをＡＰＩセットから選択して利用する。
【０３８５】
以下に示す接続関係は例であり、間に介在する接続は介在しない接続であってもよいし、複数の接続関係の一部のみ接続していてもよく、それ以外の接続であってもよい。これは他の説明も同様である。これは他の説明も同様である。ＮＥコントローラとして機能するＥＭＳは、ＮＥ−ＯｐＳ等のＯＬＴの設定管理システムであり、ミドルウェアを介して、ＩＦ変換アプリを介して設定管理アプリケーション(例えば、低速監視アプリ（ＥＭＳ−ＩＦ）及び設定・管理アプリ)が配置されている。ＩＦ変換アプリは、ＮＥコントローラ等のＥＭＳからＯＬＴ等のNetwork Entityに対する制御ＩＦであるＳＢＩ（South Band Interface）のコマンドを変換するＳＢＩアプリに相当する。ここでＩＦ変換アプリがＩＦ変換するとしているが低速監視アプリ（ＥＭＳ−ＩＦ）及び設定・管理アプリにて、ＩＦ変換を行う又はＩＦ変換を行う必要のないＡＰＩを備えれば、ＩＦ変換アプリは備えなくともよい。Ｌ２（レイヤ２）機能と接続された低速監視アプリ（ＥＭＳ−ＩＦ）と設定・管理アプリはミドルウェアを介して、ＥＭＳやＮＥ管理等を行うＮＥ制御・管理と接続されている。低速監視アプリ（ＯＭＣＩ）、ＭＬＤプロキシアプリ（マルチキャストアプリ）及び省電力アプリは、ミドルウェアを介してそれぞれＬ２機能と接続されている。
【０３８６】
プロテクションアプリは、ミドルウェアを介してPLOAM EngineとEmbedded OAM Engineと接続されている。省電力アプリは、ミドルウェアを介してＯＭＣＩとPLOAM Engineと接続されている。ＯＮＵ登録認証アプリ及びＤＷＢＡアプリはミドルウェアを介してPLOAM Engineと接続され、ＤＢＡアプリはミドルウェアを介してEmbedded OAM Engineと接続されている。省電力アプリは、ミドルウェアを介してプロテクションアプリとＯＮＵ登録認証アプリとＤＷＢＡアプリとＤＢＡアプリ間でそれぞれ動作させてもよい。外部の装置からの入力はミドルウェアを介してＤＢＡアプリに接続している。なおこれらの接続は、例であり、外部の装置からの入力をＤＢＡアプリ以外の他のアプリ例えばプロテクションアプリやＤＷＢＡアプリに接続してもよい。また外部の装置からの入力をミドルウェア経由でＩＦ変換アプリを介してＩＦ変換したり、ミドルウェア経由で設定・管理アプリを介してＤＢＡアプリ等に接続したりしてもよい。
【０３８７】
図９は、通信装置内の機能部間の信号／情報の流れを示す図である。同図に示す通信装置は、ＰＯＮ主信号処理機能部３００と、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０と、ＰＯＮマルチキャスト機能部３５０と、省電力制御機能部３６０と、周波数・時刻同期機能部３７０と、プロテクション機能部３８０とを備える。
【０３８８】
ＰＯＮ主信号処理機能部３００は、ＰＯＮ主信号処理機能を有する。ＰＯＮ主信号処理機能は、ＯＮＵとの間で送受信を行う主信号を処理する機能群であり、ＰＯＮフレームの生成分離や前方誤り訂正（ＦＥＣ：Forward Error Correction）等を含む。ＰＯＮアクセス制御機能部３２０は、ＰＯＮアクセス制御機能を有する。ＰＯＮアクセス制御機能は、前述の主信号送受信を行うための制御機能群であり、動的帯域割当やＯＮＵの登録認証等を含む。保守運用機能部３３０（ＰＬＯＡＭ処理、ＯＭＣＩ処理）は、保守運用機能を有する。保守運用機能は、アクセス装置によってサービスを円滑に保守運用するための機能群であり、ＯＮＵやＯＬＴ（ＯＳＵ及びスイッチ）の装置設定を実施する機能や、ソフトウェアの更新、装置やサービスの管理、各種機能が正常に動作しているかを監視する機能、異常発生時に能動的に警報を発出する機能、異常発生時の範囲や原因を調査するための試験機能等を含む。また、保守運用機能は、多数のアクセス装置を管理する保守運用システムと接続され、リモートからも円滑な保守運用を実現する。Ｌ２主信号処理機能部３４０は、Ｌ２主信号処理機能を有する。Ｌ２主信号処理機能は、ＰＯＮ側ポートとＳＮＩ側ポートとの間で主信号を転送し、処理する機能群であり、ＭＡＣアドレス学習やＶＬＡＮ制御、優先制御やトラフィックモニタ等の機能を含む。ＰＯＮマルチキャスト機能部３５０は、ＰＯＮマルチキャスト機能を有する。ＰＯＮマルチキャスト機能は、ＳＮＩ側から受信したマルチキャストストリームを適切なユーザに転送する機能群であり、マルチキャストストリームの識別や振分し、ＯＮＵのフィルタ設定を実施する機能を含む。省電力制御機能部３６０は、省電力制御機能を有する。省電力制御機能は、ＯＮＵやＯＬＴの電力消費を削減するための機能群であり、標準化で規定されている省電力化機能に加え、トラフィックモニタとの連携によってサービスへの影響を最小限に抑えながら、最大限の効果を得るための機能を含む。周波数・時刻同期機能部３７０は、周波数・時刻同期機能を有する。周波数/時刻同期機能は、ＯＮＵ配下の装置に正確な周波数同期や時刻同期を提供するための機能群であり、自身のリアルタイムクロックを上位装置に従属同期させる機能や、ＰＯＮフレームを用いてＯＮＵに時刻情報を通知する機能を含む。プロテクション機能部３８０は、プロテクション機能を有する。プロテクション機能は、スイッチ間やＯＳＵ間等、複数のハードウェアで冗長をとった構成において、障害検知時に現用系から予備系への切替や引継を実施してサービスを継続するための機能群であり、切替トリガの検出や切替処理の実施といった機能を含む。また、プロテクション機能は障害検知時や手動での切替時に、サービスを全面停止せず縮退運転で動作させ続けるための機能を提供する。ＰＭＤ部３１０は、主要８機能以外の機能を有する。
【０３８９】
ＰＯＮ主信号処理機能部３００は、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０とに接続されていてもよい。ＰＯＮマルチキャスト機能部３５０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。省電力制御機能部３６０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。周波数・時刻同期機能部３７０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。プロテクション機能部３８０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。
【０３９０】
図１０は、ＰＯＮ主信号処理機能部３００が有する機能構成の例を示す図である。ＰＯＮ主信号処理機能部３００は、上り信号の処理順（下り信号の処理は逆方向）に、ＰＨＹアダプテーションと、フレーム化と、サービスアダプテーションとを、ＰＯＮ主信号処理機能を構成する処理として備えていてもよい。これらの処理は、基本処理から構成されてもよい。基本処理は、同期ブロック生成／抽出と、スクランブル／デスクランブルと、ＦＥＣデコード／エンコードと、フレーム生成／分離と、ＧＥＭ（G-PON Encapsulation Method）カプセル化と、フラグメント処理と、暗号化とである。
【０３９１】
ＰＨＹアダプテーションは、同期ブロック抽出と、デスクランブルと、ＦＥＣデコーディングとを、上り信号の処理順に備えていてもよい。ＰＨＹアダプテーションは、ＦＥＣエンコーディングと、スクランブルと、同期ブロック生成とを、下り信号処理の順番で備えていてもよい。
【０３９２】
ＰＯＮ主信号処理機能部３００は、ＰＨＹアダプテーション、フレーム化又はサービスアダプテーションの処理を備えずに、同等の処理を基本処理の組み合わせで実現してもよい。ＰＨＹアダプテーション、フレーム化又はサービスアダプテーションの処理は、順番が入れ替わっていてもよい。ＰＨＹアダプテーションは、例えば、ＦＥＣ処理をＰＨＹアダプテーション以外に備えてもよい。
【０３９３】
ＰＯＮ主信号処理機能部３００の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が複数波長を処理するなら、複数波長分が求められる。
【０３９４】
図１１は、ＰＯＮアクセス制御機能部３２０が有する機能構成の例を示す図である。ＰＯＮアクセス制御機能部３２０が有するＰＯＮアクセス制御機能を構成する処理として、ＯＮＵ登録又は認証、ＤＢＡ、及び、λ設定切替（ＤＷＡ）を有する。これらの処理は、基本処理から構成されてもよい。例えば、ＯＮＵ登録又は認証は、初期処理を構成するレンジング、認証削除、登録、起動停止、ＤＢＡは帯域要求受信、トラフィック測定、履歴保持、割当計算、割当処理、設定切替計算、設定切替処理、設定切替状況把握の全て又はそのいくつか、λ設定切替は、帯域要求受信、トラフィック測定、履歴保持、割当計算、割当処理、設定切替計算、設定切替処理、設定切替状況把握の全て又はそのいくつかから構成されてもよい。ＯＮＵ登録又は認証、ＤＢＡ、λ設定切替（ＤＷＡ）は備えずに同等の処理を基本処理の組み合わせで実現してもよい。また、順番が入れ替わっていてもよい。
【０３９５】
ＰＯＮアクセス制御機能部３２０の主要機能では、ＯＮＵ高速起動、ＤＢＡ周期内でのＢＷＭａｐ、無瞬断λ設定切替等が必要に応じて求められる。機能分担の例として、登録又は認証としては、タイムクリティカルなレンジング処理を機器依存部、その後の認証や鍵交換をアプリとしてもよい。ＤＢＡ・λ設定切替では、単純な繰り返し処理を機器依存部、理想状態への反映をアプリとしてもよい。
【０３９６】
図１２は、Ｌ２主信号処理機能部３４０が有する機能構成の例を示す図である。Ｌ２主信号処理機能部３４０が有するＬ２主信号処理機能を構成する処理として、ＭＡＣ学習、ＶＬＡＮ制御、パス制御、帯域制御、優先制御、遅延制御、Ｃｏｐｙを有する。これらの処理は基本処理であるアドレス管理、Ｃｌａｓｓｉｆｉｅｒ（クラシファイア、分類部）、Ｍｏｄｉｆｉｅｒ（モディファイア、変更部）、Ｐｏｌｉｃｅｒ／Ｓｈａｐｅｒ（ポリサー／シェイパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）、Ｃｏｐｙ（コピー）、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【０３９７】
Ｌ２主信号処理機能部３４０の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が求められる。
【０３９８】
図１３は、保守運用機能部３３０が有する機能構成の第１例を示す図である。保守運用機能部３３０が有する保守運用機能を構成する処理として、ＯＮＵ、ＯＳＵ、ＯＬＴ又はＳＷの装置設定（手動、一括、自動、オペレーション契機）、設定バックアップ、ＦＷ更新、装置制御（リセット）、冗長構成対応を有する。これらの処理は、基本処理であるＣＬＩ−ＩＦ、装置管理ＩＦ、オペレーションＩＦ、汎用Ｃｏｎｆｉｇ（コンフィグ）−ＩＦ（ＮＥＴＣＯＮＦ、ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【０３９９】
保守運用機能部３３０の主要機能では、指示を受けてからＡＣＫ送信まで１００ミリ秒以内、指示を受けてから反映完了通知送信まで２００ミリ秒以内（ただし、データ転送を含む設定バックアップとＦＷ更新は規模（サイズ・ユーザ数）に応じて規定。）等の規定に従うことが求められる。機能分担の例としては、ハードのＣｏｎｆｉｇを除きアプリとし、ソフトや設定データはＯＮＵやＯＬＴで持たずに図７の外部サーバ１６上のアプリとすることもできる。コマンドの統一とシーケンスの定義をすることで実現することもできる。
【０４００】
図１４は、保守運用機能部３３０が有する機能の構成の第２例を示す図である。保守運用機能部３３０が有する機能を構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【０４０１】
保守運用機能部３３０の主要機能では、レイテンシが１００ミリ秒以内等の規定に従うことが求められる。機能分担の例として、通知／表示のＩＦのみアプリとし、モニタが必要な項目（ＣＰＵ負荷、メモリ利用量、電源状態、消費電力、イーサネット（登録商標）のリンク状態など）は機器依存部であり、機器依存部からの通知読み出し、通知のネットワーク（ＮＷ）送信、ファイルへの書き込みなどのＩＦをきるアプリによる処理とすることもできる。
【０４０２】
図１５は、保守運用機能部３３０が有する機能構成の第３例を示す図である。保守運用機能部３３０が有する保守運用機能を構成する処理として、高速を要する監視・制御の入出力（スリープ指示／返答、λ設定切替指示／返答など）を有する。本処理の手段として、物理層ＯＡＭ（ＰＬＯＡＭ：Physical Layer OAM）メッセージ、及び、ヘッダ内のビット表示（Embedded OAM）を利用する。これらの処理は基本処理であるＰＬＯＡＭ処理、Ｅｍｂｅｄｄｅｄ  ＯＡＭ処理、省電力制御機能部３６０との通信、プロテクション機能部３８０との通信、ＰＯＮアクセス制御機能部３２０との通信から構成されてもよい。高速を要する監視・制御の入出力は同等の処理を基本処理の組み合わせで実現してもよい。また、順番が入れ替わっていてもよい。保守運用機能部３３０の主要機能では、ＰＬＯＡＭ処理を７５０マイクロ秒以内とする等の規定に従うことが求められる。
【０４０３】
図１６は、ＰＯＮマルチキャスト機能部３５０が有する機能構成の例を示す図である。ＰＯＮマルチキャスト機能部３５０が有するＰＯＮマルチキャスト機能を構成する処理として、マルチキャストストリームの識別又は振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６  Ｐａｒｓｅを備えるのが望ましい）、Ｌ３パケット生成、テーブル管理、ＯＭＣＩ機能との通信から構成されてもよい。マルチキャストストリームの識別又は振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【０４０４】
ＰＯＮマルチキャスト機能部３５０の主要機能では、識別／振り分けを１０Ｇｂｉｔ／ｓ／λと２．５Ｇｂｉｔ／ｓ／λの処理をそれぞれ波長毎に処理する場合、それぞれ１０Ｇｂｉｔ／ｓ／λと２．５Ｇｂｉｔ／ｓ／λ以上のストリーム処理が、複数波長を処理するなら複数波長分が求められる。さらに、ＰＯＮマルチキャスト機能部３５０の主要機能では、パケット処理としてザッピング性能（Ｚａｐｐｉｎｇ性能）（ＪＯＩＮレイテンシ）が、平均１．５秒以内等の規定に従うことが求められる。
【０４０５】
機能分担の例としては、マルチキャスト（ＭＣ）ストリームの識別・振分は高速な処理能力を持つＣＰＵ等であればソフト処理可だが、ハード＋ｃｏｎｆｉｇが望ましい。その他、上りに対するアプリ系やＯＮＵ設定は頻度や遅延制約が緩いためアプリによる処理とするである。
【０４０６】
図１７は、省電力制御機能部３６０が有する機能構成の例を示す図である。省電力制御機能部３６０が有する機能を構成する処理として、スリープ用プロキシ／トラフィックモニタ、ＯＮＵ波長設定、波長間設定移行を有する。これらの処理は基本処理であるＬ３パケット処理（ＩＰｖ６  Ｐａｒｓｅを備えるのが望ましい）、Ｌ３パケット生成、テーブル管理、ＯＳＵ省電力ステートダイアグラム（ＳＤ：State Diagram）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【０４０７】
本主要機能では、送受信立ち上がり時間（受信器／送信器）を１０ミリ秒／５ミリ秒、立ち上がり時間（ＬＣ／ＯＳＵ／ＯＬＴ）を１００ミリ秒／１秒／１０秒等の規定に従うことが求められる。
【０４０８】
機能分担の例として、パワーセーブ（ＰＳ：Power Save）アプリや、信号によってはプロキシ処理もアプリによる処理とすることもできる。省電力制御状態遷移管理（ドライバ部）は速度が求められるがアプリによる処理とすることもできる。トラフィックモニタはコンフィグ（config）のみアプリによる処理とすることもできる。
【０４０９】
図１８は、周波数・時刻同期機能部３７０が有する機能構成の例を示す図である。ＯＬＴは、ＳｙｎｃＥ（Synchronous Ethernet（登録商標））（周波数同期用）及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ＴｏＤ：Time of Day）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【０４１０】
本主要機能では、周波数同期精度＋／−５０ｐｐｂ（ＬＴＥ  ＦＤＤ、同ＴＤＤ）、時刻同期精度＋／−１〜１．５マイクロ秒（ＬＴＥ  ＴＤＤ、スモールセル）、＋／−１マイクロ秒（Ｇ．９８７．３）等の規定に従うことが求められる。機能分担の例としては、リアルタイムクロック自体は機器依存部であり、上位装置への時刻合わせ計算はアプリによる処理とすることもできる（精度により機器依存部とすることもできる）。
【０４１１】
図１９は、プロテクション機能部３８０が有する機能構成の例を示す図である。プロテクション機能部３８０が有するプロテクション機能を構成する処理として、冗長切替（ＣＴ、ＳＷ、ＮＮＩ、ＣＯＮＴ、ＰＯＮ（Ｔｙｐｅ  Ａ、Ｂ、Ｃ））を備える。これらの処理は基本処理である冗長パス設定、 切替トリガ検出、切替通知送受信、切替処理等から構成されてもよい。同等の処理を基本処理の組み合わせで実現してもよい。また、順番が入れ替わっていてもよい。
【０４１２】
本主要機能では、強制切替は５０ミリ秒以下等の規定に従うことが求められる。機能分担の例としては、故障検出等のハードの切替トリガ検出と切替処理を除きアプリによる処理とすることもできる。冗長パスを予め設定せずに、切替トリガ検出時にＥＭＳ側へ（から）指示する場合は機器依存、等である。
【０４１３】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【０４１４】
主要８機能に含まれるアルゴリズムを主なソフト化領域とする。ソフト化領域とした機能を機器無依存ＡＰＩ上の機器無依存アプリ部とする。例えば、差異化サービスに資するＯＮＵ登録又は認証機能、ＤＷＢＡ機能、設定・管理・監視制御機能及び省電力制御機能におけるアルゴリズムは機器無依存アプリ部における拡張機能部として扱われる。ＭＬＤプロキシアプリはマルチキャスト機能を含む。
【０４１５】
拡張機能部は、アプリの内、機能の更新頻度や独自仕様等の実現等の重要度に応じて拡張機能部とする。更新頻度が低いか独自仕様等の実現の要求の低いものは基本機能部や機器無依存アプリ部以外のミドルウェア部や機器依存ソフトウェアやハードウェア部及びハードウェア部とすることが好ましい。特に、ソフトウェアの処理能力からくる制限がある機能は、ハードウェア部及びハードウェア部のままとすることが好ましい。例えば、主信号の優先処理や回線の利用効率を向上するＤＢＡ等の更改頻度が高いかサービス差異化に寄与する機能や、オペレータの業務フローに密接にかかわり合いオペレータ毎の独自仕様が要求される管理制御機能から拡張機能部とする。
【０４１６】
情報処理部は、これらのソフト化機能に限らず、それ以外のソフト化機能を備えていてもよい。ハードウェア部及びハードウェア部は、送受信部、ＯＳＵ、スイッチ、制御部、情報処理部に限らない。例えば、情報処理部は、送受信部、ＯＳＵ、スイッチ、制御部に含まれていてもよい。また図７に示すように、スイッチのＮＮＩ（Network-Network Interface）側に、スイッチに入出力する信号を処理するプロキシ部又は外部サーバを備えていてもよい。外部サーバは、複数の装置を備えるデータセンタ等のいわゆるクラウドと呼ばれる情報処理機能であってもよい。
【０４１７】
各機能は、処理能力や処理遅延の要求に応じて適宜配置してもよい。また、ＯＳＵにスイッチ部１２又はスイッチ部１３を備えていてもよいし、スイッチとは別途スイッチ（スイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０４１８】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０４１９】
また、ソフト化機能の配置は、ソフト化機能毎であってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４２０】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４２１】
また、ソフト化機能を配備する箇所は拡張機能部の配備の状況や、演算可能な箇所の演算能力や演算負荷や消費電力等に応じて、適宜変更してもよい。
ＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録又は認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、マックス又はデマックス（ＭｕＸ／Ｄｍｕｘ）及びキュー（Ｑｕｅｕｅ）、並びにフレーム化の前段のシェーパなどのＬ２主信号処理機能をスイッチに配備する。
【０４２２】
シェーパの前段のコピー機能、コピーで利用されるＭＬＤプロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能部を縮小する。特に、Ｌ２主信号処理は重複を避け、スイッチに配備することが好ましい。
【０４２３】
なお、スイッチの機能として、Ｃｌａｓｓｉｆｉｅｒ（クラシファイア）、Ｍｏｄｉｆｉｅｒ（モディファイア）、Ｐｏｌｉｃｅｒ／Ｓｈａｐｅｒ（ポリサー／シェーパ）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）の順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、Ｓｃｈｅｄｕｌｅｒのみ実施してもよい。
【０４２４】
更に、ＰＯＮ終端後のパス等を記載するＶＩＤ等をＯＮＵで付与すれば、Ｃｒｏｓｓ  Ｃｏｎｎｅｃｔ、Ｑｕｅｕｅ、Ｓｃｈｅｄｕｌｅｒすればよい。上位ネットワークが単一パスと見做せれば、Ｑｕｅｕｅ、Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、とすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０４２５】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしたりしてもよい。ＰＯＮのバースト伝送や、マルチキャスト等の優先トラフィックを多重することによって生ずるバースト性による不要のＰｏｌｉｃｉｎｇ（ポリシング）／Ｓｈａｐｉｎｇ（シェイピング）や、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇによる処理を実行することが望ましい。
【０４２６】
特定の状態への状態遷移に際して、スリープ動作等の主体は、スリープ動作等の主体（通信装置が備える機器）の指示を、スリープ動作等の主体とは独立している外部に保管することによって、動作を継承することが可能となる。特定の状態は、例えば、スリープ状態、運用系の通信装置の切替状態、ユーザ収容切替状態、マルチキャスト状態である。運用情報が通信装置の外部に保持されているため、他の通信装置への切替に際して、スリープ動作等の継承性が失われないようにすることが可能となる。通信装置は、機器が保持している情報の継承性を確保することが可能となる。
【０４２７】
また、通常の汎用化、ソフトウェア化したスイッチを実行部３として流用することによって、汎用化、ソフトウェア化したスイッチの安価且つ柔軟かつ迅速な機能追加が可能なＯＬＴを実現することが可能となる。
【０４２８】
以上示した通り、実施形態１−１は、指示部５と実行部３を分離配置することで、機器の保持する情報の継承性をスリープ、切替、ユーザ／収容替に要する時間を長大化することなく可能とする。
【０４２９】
以上示した実施形態１−１に係る構成は、以下の実施形態でも同様であり、適宜組み合わせてもよい。例えば、図２では、本システムが、実行部３の構成が送受信部１１（ＴＲｘ）、スイッチ部１２及びスイッチ部１３のみの場合を例示するが、送受信部１１（ＴＲｘ）、スイッチ部１２及びスイッチ部１３以外の箇所、それ以外の場所、ＰＯＮの終端する箇所や、制御部１４を実行部３としてもよい。
【０４３０】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０４３１】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば、実施形態１−３は実施形態１−１と同様である。
【０４３２】
（実施形態１−４）
本実施形態は、ＯＦＤＭ（Orthogonal Frequency Division Multiplex）−ＰＯＮ、ＣＤＭ（Code Division Multiplex）−ＰＯＮ、ＳＣＭ（Subcarrier Multiplex）−ＰＯＮ、芯線分割多重を含めた組み合わせである。
【０４３３】
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ−ＰＯＮ、１波長の電気の周波数リソースを分割多重するＳＣＭ−ＰＯＮ、符号で分割多重するＣＤＭ−ＰＯＮに適用してもよいし、芯線分割多重を併用してもよいし、マルチコアファイバ等を用いた空間分割多重を併用してもよいし、波長分割多重を用いなくてもよい。ＴＷＤＭ−ＰＯＮの波長リソースを波長分割多重する機能を、それぞれの多重するリソースに分割多重するに要する機能に対応する機能に読み替えれば同様である。
【０４３４】
（実施形態２）
実施形態２では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間でＧＥＭフレームを導通するようにする。ＧＥＭカプセル化までスイッチに移管することで、それ以外の部分のプロトコルスタックからＬ２機能部を除外し、スイッチとそれ以外の部分で、Ｌ２機能部の重畳を回避することができる。
【０４３５】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０４３６】
（実施形態３）
実施形態３では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。制御情報をスイッチ経由で入出力することで、スイッチ以外の処理が軽くなる効果がある。なお、実施形態３の移管に加えて、実施形態１及び実施形態２のブリッジ機能のスイッチへの移管を行ってもよい。
【０４３７】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【０４３８】
以上説明したように、他の装置と通信する通信装置は、他の装置とのやりとりに関するモジュルに予め想定される入力に対する応答を予め設定しておき、応答中又は応答後に該応答の妥当性を判断し、妥当ではない場合に、応答を修正する。
【０４３９】
すなわち、通信装置の実行部３は、予め行われた設定に基づいて、他の装置からの入力に応答する他の装置への入力である応答を出力する。また、実行部３は、指示部５からの指示に基づいて、他の通信装置への入力を出力する。指示部５は、実行部３が出力した応答の妥当性を検証し、応答が妥当ではないと判断した場合に、妥当ではないと判断された応答を是正するための他の装置への入力を出力するよう実行部３に指示する処理を行うか、妥当ではないと判断された応答の次に出力すべき応答を実行部３に設定する処理を行う。なお、指示部５は、実行部３に対する指示を、妥当ではない応答が許容される期間内に実行部３が応答を是正可能なタイミングまでに出力する。また、指示部５は、応答が妥当であると判断した場合、実行部３に指示を出力しないか、応答の次に出力すべき応答を実行部３に設定する処理を行う。また、通信装置は、他の装置と通信する通信部を備えており、実行部３及び指示部５はそれぞれ、通信部の内部に備えられてもよく、外部に備えられてもよい。例えば、通信装置を構成するモジュルのうち、実行部３を処理能力が低いモジュルで実現し、指示部５を処理能力が高いモジュルで実現することができるが、逆でもよく、これに限らない。
【０４４０】
上述した実施形態における通信装置の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＦＰＧＡ（Field Programmable Gate Array）等のプログラマブルロジックデバイスを用いて実現されるものであってもよい。
【０４４１】
以上、この発明の実施形態について図面を参照して詳述してきたが、具体的な構成はこの実施形態に限られるものではない。上記の実施形態は例示に過ぎず、本発明は当業者の知識に基づいて種々の変更、改良を施した形態で実施することができ、この発明の要旨を逸脱しない範囲の設計等も含まれる。
【符号の説明】
【０４４２】
１００：通信装置
１０１：実行部
１０２：指示部
１０３：制限部
１１：送受信部
１２、１３：スイッチ部
１４：制御部
１５：プロキシ部
１６：外部サーバ
２１、２２、２７：機器無依存ＡＰＩ
２３、２４、２５：機器依存ＡＰＩ
【図１】
2018022246.tif 000003
【図２】
2018022246.tif 000004
【図３】
2018022246.tif 000005
【図４】
2018022246.tif 000006
【図５】
2018022246.tif 000007
【図６】
2018022246.tif 000008
【図７】
2018022246.tif 000009
【図８】
2018022246.tif 000010
【図９】
2018022246.tif 000011
【図１０】
2018022246.tif 000012
【図１１】
2018022246.tif 000013
【図１２】
2018022246.tif 000014
【図１３】
2018022246.tif 000015
【図１４】
2018022246.tif 000016
【図１５】
2018022246.tif 000017
【図１６】
2018022246.tif 000018
【図１７】
2018022246.tif 000019
【図１８】
2018022246.tif 000020
【図１９】
2018022246.tif 000021